(57)【要約】【課題】表示ムラによる画像品位の低下を抑制できる液晶表示装置を提供する。【解決手段】液晶表示装置１０は、第１液晶パネル２０と、第１液晶パネル２０の背面側において第１液晶パネル２０と重ね合わせて配置される第２液晶パネル３０とを有する液晶表示部１０ａと、入力画像信号Ｄａｔａに基づいて、第１液晶パネル２０に出力する第１出力画像信号ＤＡＴ１と、第２液晶パネル３０に出力する第２出力画像信号ＤＡＴ２とを生成する画像処理部８０とを備える。そして、画像処理部８０は、入力画像信号Ｄａｔａを、第１出力画像信号ＤＡＴ１を生成するための第１分配画像信号と、第２出力画像信号ＤＡＴ２を生成するための第２分配画像信号とに分配する分配部９０と、第１分配画像信号に対して、液晶表示部１０ａの表示ムラを抑制する第１ムラ補正を行うことで第１出力画像信号ＤＡＴ１を生成し、第１液晶パネル２０に出力する表示ムラ正部１００とを有する。【選択図】図４
2020086321.tif 000002
【特許請求の範囲】
【請求項１】
第１液晶パネルと、前記第１液晶パネルの背面側において前記第１液晶パネルと重ね合わせて配置される第２液晶パネルとを有する表示部と、
入力画像信号に基づいて、前記第１液晶パネルに出力する第１出力画像信号と、前記第２液晶パネルに出力する第２出力画像信号とを生成する画像処理部とを備え、
前記画像処理部は、
前記入力画像信号を、前記第１出力画像信号を生成するための第１分配画像信号と、前記第２出力画像信号を生成するための第２分配画像信号とに分配する分配部と、
前記分配部から出力された前記第１分配画像信号に対して、前記表示部の表示ムラを抑制する第１ムラ補正を行うことで前記第１出力画像信号を生成し、生成した前記第１出力画像信号を前記第１液晶パネルに出力する第１ムラ補正部とを有する
液晶表示装置。
【請求項２】
前記分配部は、前記第２分配画像信号を前記第２出力画像信号として前記第２液晶パネルに出力し、
前記第１ムラ補正部は、さらに、前記第２出力画像信号に基づいて前記第１分配画像信号に対して前記第１ムラ補正を行う
請求項１に記載の液晶表示装置。
【請求項３】
前記分配部は、前記第２分配画像信号を前記第２出力画像信号として前記第２液晶パネルに出力し、
前記第１ムラ補正部は、前記入力画像信号に基づいて前記第２出力画像信号を予測する予測部をさらに有し、前記予測部が予測した信号に基づいて前記第１分配画像信号に対して前記第１ムラ補正を行う
請求項１に記載の液晶表示装置。
【請求項４】
前記第１ムラ補正部は、前記第１液晶パネルの表示ムラを抑制するための第１ルックアップテーブルと、前記第２液晶パネルの表示ムラを抑制するための第２ルックアップテーブルとを有し、前記第１ルックアップテーブル及び前記第２ルックアップテーブルを用いて、前記第１分配画像信号に対して前記第１ムラ補正を行う
請求項１〜３のいずれか１項に記載の液晶表示装置。
【請求項５】
前記分配部から出力された前記第２分配画像信号に対して、前記表示部の表示ムラを抑制する第２ムラ補正を行うことで前記第２出力画像信号を生成し、生成した前記第２出力画像信号を前記第２液晶パネルに出力する第２ムラ補正部を、さらに備える
請求項１に記載の液晶表示装置。
【請求項６】
前記第１ムラ補正部は、前記第１液晶パネルの表示ムラを抑制するための第１ルックアップテーブルを有し、当該第１ルックアップテーブルを用いて前記第１ムラ補正を行い、
前記第２ムラ補正部は、前記第２液晶パネルの表示ムラを抑制するための第２ルックアップテーブルを有し、当該第２ルックアップテーブルを用いて前記第２ムラ補正を行う
請求項５に記載の液晶表示装置。
【請求項７】
第１液晶パネルと、前記第１液晶パネルの背面側において前記第１液晶パネルと重ね合わせて配置される第２液晶パネルとを有する表示部と、
入力画像信号に基づいて、前記第１液晶パネルに出力する第１出力画像信号と、前記第２液晶パネルに出力する第２出力画像信号とを生成する画像処理部とを備え、
前記画像処理部は、
前記入力画像信号を、前記第１出力画像信号と、前記第２出力画像信号を生成するための分配画像信号とに分配する分配部と、
前記分配部から出力された前記分配画像信号に対して、前記表示部の表示ムラを抑制するムラ補正を行うことで前記第２出力画像信号を生成し、生成した前記第２出力画像信号を前記第２液晶パネルに出力するムラ補正部とを有する
液晶表示装置。
【請求項８】
前記ムラ補正部は、さらに、前記第１出力画像信号に基づいて前記分配画像信号に対して前記ムラ補正を行う
請求項７に記載の液晶表示装置。
【請求項９】
前記分配部は、前記分配画像信号を前記第１出力画像信号として前記第１液晶パネルに出力し、
前記ムラ補正部は、前記入力画像信号に基づいて前記第１出力画像信号を予測する予測部をさらに有し、前記予測部が予測した信号に基づいて前記分配画像信号に対して前記ムラ補正を行う
請求項７に記載の液晶表示装置。
【請求項１０】
前記ムラ補正部は、前記第１液晶パネルの表示ムラを抑制するための第１ルックアップテーブルと、前記第２液晶パネルの表示ムラを抑制するための第２ルックアップテーブルとを有し、前記第１ルックアップテーブル及び前記第２ルックアップテーブルを用いて、前記分配画像信号に対して前記ムラ補正を行う
請求項７〜９のいずれか１項に記載の液晶表示装置。
【請求項１１】
前記分配部は、前記入力画像信号に含まれる複数の階調値のうち第１階調値以上の階調値を第２階調値に階調補正をする階調補正部と、
前記階調補正部が出力した前記階調補正をした前記入力画像信号に対して、前記第１出力画像信号に基づく第１画像と、前記第２出力画像信号に基づく第２画像との視差を低減する補正をする視差低減部とを有する
請求項１〜１０のいずれか１項に記載の液晶表示装置。
【請求項１２】
前記第２階調値は、前記階調補正部が出力可能な最大階調値より小さい値である
請求項１１に記載の液晶表示装置。
【請求項１３】
前記第１液晶パネルは、カラー画像を表示し、
前記第２液晶パネルは、モノクロ画像を表示する
請求項１〜１２のいずれか１項に記載の液晶表示装置。
【発明の詳細な説明】
【技術分野】
【０００１】
本開示は、液晶表示装置に関する。
【背景技術】
【０００２】
液晶パネルを用いた液晶表示装置は、低消費電力で画像を表示することができるため、テレビ又はモニタ等のディスプレイ等として利用されている。しかしながら、液晶表示装置は、有機ＥＬ（Ｅｌｅｃｔｒｏ  Ｌｕｍｉｎｅｓｃｅｎｃｅ）表示装置と比べてコントラスト比が低い。
【０００３】
そこで、複数の液晶パネルを重ね合わせることで、有機ＥＬ表示装置に匹敵する又はそれ以上のコントラスト比で画像を表示することができる液晶表示装置が提案されている。例えば、特許文献１には、カラー画像を表示する第１の液晶パネルとモノクロ画像を表示する第２の液晶パネルとを重ね合わせることで、コントラスト比を向上させることができる画像表示装置が開示されている。
【先行技術文献】
【特許文献】
【０００４】
【特許文献１】国際公開第２００７／０４０１２７号
【発明の概要】
【発明が解決しようとする課題】
【０００５】
しかしながら、複数の液晶パネルを重ね合わせると、視差が発生して画像品位が低下する。視差による画像品位の低下を抑制するには、複数の液晶パネルの間隔を狭くすることが考えられるが、単に複数の液晶パネルの間隔を狭くする（例えば、複数の液晶パネルを貼り合わせる接着層の厚みを薄くする）と、複数の液晶パネル同士の応力等により液晶パネルのセルギャップが不均一になり、表示ムラが発生する。
【０００６】
本開示は、このような課題を解決するためになされたものであり、表示ムラによる画像品位の低下を抑制できる液晶表示装置を提供することを目的とする。
【課題を解決するための手段】
【０００７】
本開示の一態様に係る液晶表示装置は、第１液晶パネルと、前記第１液晶パネルの背面側において前記第１液晶パネルと重ね合わせて配置される第２液晶パネルとを有する表示部と、入力画像信号に基づいて、前記第１液晶パネルに出力する第１出力画像信号と、前記第２液晶パネルに出力する第２出力画像信号とを生成する画像処理部とを備え、前記画像処理部は、前記入力画像信号を、前記第１出力画像信号を生成するための第１分配画像信号と、前記第２出力画像信号を生成するための第２分配画像信号とに分配する分配部と、前記分配部から出力された前記第１分配画像信号に対して、前記表示部の表示ムラを抑制する第１ムラ補正を行うことで前記第１出力画像信号を生成し、生成した前記第１出力画像信号を前記第１液晶パネルに出力する第１ムラ補正部とを有する。
【０００８】
また、本開示の一態様に係る液晶表示装置は、第１液晶パネルと、前記第１液晶パネルの背面側において前記第１液晶パネルと重ね合わせて配置される第２液晶パネルとを有する表示部と、入力画像信号に基づいて、前記第１液晶パネルに出力する第１出力画像信号と、前記第２液晶パネルに出力する第２出力画像信号とを生成する画像処理部とを備え、前記画像処理部は、前記入力画像信号を、前記第１出力画像信号と、前記第２出力画像信号を生成するための分配画像信号とに分配する分配部と、前記分配部から出力された前記分配画像信号に対して、前記表示部の表示ムラを抑制するムラ補正を行うことで前記第２出力画像信号を生成し、生成した前記第２出力画像信号を前記第２液晶パネルに出力するムラ補正部とを有する。
【発明の効果】
【０００９】
本開示によれば、表示ムラによる画像品位の低下を抑制できる液晶表示装置を提供することを目的とする。
【図面の簡単な説明】
【００１０】
【図１】図１は、実施の形態１に係る液晶表示装置の分解斜視図である。
【図２】図２は、実施の形態１に係る液晶表示装置の概略構成を示す図である。
【図３】図３は、実施の形態１に係る液晶表示装置の部分拡大断面図である。
【図４】図４は、実施の形態１に係る画像処理部の機能構成を示すブロック図である。
【図５】図５は、実施の形態１に係る第２液晶パネルのガンマ特性を示す図である。
【図６】図６は、実施の形態１に係る液晶表示装置の動作を示すフローチャートである。
【図７】図７は、実施の形態１に係る第１出力画像信号の生成を説明するための図である。
【図８】図８は、実施の形態１に係る第２出力画像信号の生成を説明するための図である。
【図９】図９は、実施の形態１に係る液晶表示部の透過率を示す図である。
【図１０】図１０は、実施の形態１の変形例に係る液晶表示装置の機能構成を示すブロック図である。
【図１１】図１１は、実施の形態２に係る液晶表示装置の機能構成を示すブロック図である。
【図１２】図１２は、実施の形態２に係る液晶表示装置の動作を示すフローチャートである。
【図１３】図１３は、実施の形態２に係る第２出力画像信号の生成を説明するための図である。
【図１４】図１４は、実施の形態２に係る第１出力画像信号の生成を説明するための図である。
【図１５】図１５は、実施の形態２に係る液晶表示部の透過率を示す図である。
【図１６】図１６は、実施の形態２の変形例に係る液晶表示装置の機能構成を示すブロック図である。
【図１７】図１７は、実施の形態３に係る液晶表示装置の機能構成を示すブロック図である。
【図１８】図１８は、比較例に係る液晶表示装置の機能構成を示すブロック図である。
【図１９Ａ】図１９Ａは、比較例に係る第２液晶パネルのガンマ特性を示す図である。
【図１９Ｂ】図１９Ｂは、比較例に係る入力階調と第２液晶パネルの透過率との関係を示す図である。
【図２０Ａ】図２０Ａは、比較例に係る第１液晶パネルのガンマ特性を示す図である。
【図２０Ｂ】図２０Ｂは、比較例に係る入力階調と第１液晶パネルの透過率との関係を示す図である。
【発明を実施するための形態】
【００１１】
（本開示の基礎となった知見）
複数の液晶パネル（例えば、第１液晶パネル及び第２液晶パネル）を重ね合わせると、第１液晶パネルと第２液晶パネルとの間隔に応じて視差が発生して画像品位が低下する。そこで、視差を低減するための画像処理を行うことが検討されている。そのような液晶表示装置を、図１８を参照しながら説明する。図１８は、比較例に係る液晶表示装置１０１０の機能構成を示すブロック図である。
【００１２】
図１８に示すように、液晶表示装置１０１０は、第１液晶パネル１０２０と、第２液晶パネル１０３０と、画像処理部１０８０とを備える。また、画像処理部１０８０は、第１液晶パネル１０２０に出力する第１出力画像信号と、第２液晶パネル１０３０に出力する第２出力画像信号とに入力画像信号を分配する分配部１０９０を有する。ここでの分配とは、入力画像信号に基づいて、当該入力画像信号に基づく画像を表示するための第１出力画像信号と第２出力画像信号とを生成することを意味する。
【００１３】
分配部１０９０は、白黒画像生成部１０９１と、ガンマ処理部１０９２と、視差低減部１０９３と、除算処理部１０９４と、乗算器１０９５とを有する。また、除算処理部１０９４と、乗算器１０９５とで、計算部１０９６を構成する。なお、第１液晶パネル１０２０は、観察者側に配置され、例えば、カラー画像を表示する。第２液晶パネル１０３０は、第１液晶パネル１０２０より観察者から遠い位置に配置され、例えば、モノクロ画像を表示する。
【００１４】
白黒画像生成部１０９１は、入力画像信号を取得すると、入力画像信号の色情報を示す各色の値（例えば、ＲＧＢ値：［Ｒ値、Ｇ値、Ｂ値］）のうち最大値（Ｒ値、Ｇ値又はＢ値）を用いて白黒画像（モノクロ画像）に対応する白黒画像データを生成する。具体的には、白黒画像生成部１０９１は、各画素に対応するＲＧＢ値において、当該ＲＧＢ値のうち最大値をその画素の値に設定することにより白黒画像データを生成する。白黒画像生成部１０９１は、生成した白黒画像データをガンマ処理部１０９２に出力する。
【００１５】
ガンマ処理部１０９２は、第２液晶パネル１０３０の階調変換特性（ガンマ特性）に応じて入力画像信号における各画素の階調値を変換し、視差低減部１０９３に出力する処理部である。ガンマ処理部１０９２は、図１９Ａに示すように、入力画像信号に含まれる複数の階調値のうち第１階調値以上の階調値を第２階調値に階調補正をする。図１９Ａは、比較例に係る第２液晶パネル１０３０のガンマ特性を示す図であり、白黒画像データに対応する階調値（入力階調）と、ガンマ補正後に対応する階調値（出力階調）とが関連付けられている。ガンマ処理部１０９２は、例えば、入力階調が２５６階調（第１階調値の一例）以上のときに、出力階調を出力階調の最大値である１０２３階調（第２階調値の一例）に決定する。ガンマ処理部１０９２は、図１９Ａに示す階調変換特性に基づく変換テーブル（ルックアップテーブル）を有しており、当該変換テーブルを用いて視差低減部１０９３に出力する白黒画像データに対応する階調値を決定する。なお、第１階調値は、２５６階調に限定されず、第１液晶パネルと第２液晶パネルとの間隔等に応じて、適宜決定される。
【００１６】
図１９Ｂは、比較例に係る入力階調と第２液晶パネル１０３０の透過率（図１９Ｂの例では、正規化統合透過率）との関係を示す図である。図１９Ｂに示すように、入力階調が２５６階調以上である場合、第２液晶パネル１０３０の透過率は最大値となる。
【００１７】
図１８を再び参照して、視差低減部１０９３は、ガンマ処理部１０９２が出力した階調補正された入力画像信号（具体的には、階調補正した白黒画像データ）に対して、第１出力画像信号に基づく第１画像と、第２出力画像信号に基づく第２画像との視差を低減する補正をする処理部である。視差低減部１０９３は、階調変換された白黒画像データを取得すると、白黒画像データに対して高輝度領域を拡張する拡張フィルタ処理を行う。拡張フィルタ処理は、例えば、第２液晶パネル１０３０の各画素（注目画素）について、所定のフィルタサイズ（例えば、数画素×数画素）内の輝度の最大値をその画素（注目画素）の輝度に設定する処理である。拡張フィルタ処理は、複数の画素のそれぞれにおいて実行される。上記の拡張フィルタ処理により、全体的に高輝度領域（例えば白色領域）が拡張する。これにより、液晶表示装置１０１０を斜め方向から見たときに、視差により画像の輪郭が２重に見える２重像が発生するなど、視差が発生して画像品位が低下することを抑制することができる。なお、フィルタサイズは、特に限定されず、またフィルタ形状は、正方形に限定されず円形などでもよい。
【００１８】
視差低減部１０９３は、例えば、いわゆるＭＡＸフィルタ（最大値フィルタ）により実現される。また、ＭＡＸフィルタは、フィルタサイズを可変できるものであるとよい。視差低減部１０９３は、第１液晶パネル１０２０と第２液晶パネル１０３０との間隔に応じて適切なフィルタサイズを決定することで、当該間隔に応じた視差低減を行うことができる。
【００１９】
拡張フィルタ処理を行った白黒画像データは、第２出力画像信号として、第２液晶パネル１０３０に出力される。また、さらに当該第２出力画像信号は、計算部１０９６（具体的には、除算処理部１０９４）に出力される。
【００２０】
計算部１０９６は、入力画像信号について、視差低減部１０９３から取得した第２出力画像信号に基づいて、第１液晶パネル１０２０で表示するカラー画像のための第１出力画像信号を生成する。計算部１０９６は、第１出力画像信号に基づいて第１液晶パネル１０２０が表示する第１画像と、第２出力画像信号に基づいて第２液晶パネル１０３０が表示する第２画像との合成画像が、入力画像信号に基づく画像となるように、第１出力画像信号の各画素それぞれの階調値を決定する。具体的には、除算処理部１０９４は、まず、上記の第２出力画像信号（例えば、白黒画像の階調値）を取得すると、図２０Ａに示す階調変換特性を用いて第２出力画像信号に対応する出力階調を取得する。図２０Ａは、比較例に係る第１液晶パネル１０２０の階調変換特性（ガンマ特性）を示す図である。なお、図２０Ａに示す入力階調とは、第２出力画像信号の階調値に対応する入力画像信号の階調値を意味する。
【００２１】
除算処理部１０９４は、補正テーブル（ルックアップテーブル）を参照して、上記で算出した出力階調を補正して第１出力画像信号を生成するための補正値を取得する。補正テーブルには、出力階調と補正値とが対応付けられている。補正テーブルの補正値は、高階調域（例えば、２５６階調以上）では、除算処理部１０９４の入力値の逆数に対応して設定される。除算処理部１０９４は、取得した補正値を乗算器１０９５に出力する。
【００２２】
乗算器１０９５は、取得した補正値に基づいて、第１出力画像信号の階調値を決定する。具体的には、乗算器１０９５は、入力画像信号の階調値に補正値を乗算して得られた値を第１出力画像信号の階調値として決定する。乗算器１０９５は、生成した第１出力画像データを第１液晶パネル１０２０に出力する。これにより、第１液晶パネル１０２０の各画素の明るさ（例えば、透過率）は、拡張フィルタ処理を反映した明るさとなる。
【００２３】
図２０Ｂは、比較例に係る入力階調と第１液晶パネル１０２０の透過率（図２０Ｂの例では、正規化統合透過率）との関係を示す図である。
【００２４】
上記の処理により、視差による画像品位の低下は低減するものの、仕様によっては更なる視差による画像品位の低下の抑制が求められる場合がある。
【００２５】
そこで、第１液晶パネル１０２０と第２液晶パネル１０３０との間隔を狭くすることで、視差の発生自体を抑制することが検討されている。例えば、視差による画質品位の低下（例えば、２重像の発生）が気にならない程度まで第１液晶パネル１０２０と第２液晶パネル１０３０との間隔を狭くすることで、上記の視差低減部１０９３を省略することが可能となる。
【００２６】
しかしながら、第１液晶パネル１０２０と第２液晶パネル１０３０とを接着する接着層（例えば、ＯＣＡ：Ｏｐｔｉｃａｌ  Ｃｌｅａｒ  Ａｄｈｅｓｉｖｅ）の厚みを薄くすると、第１液晶パネル１０２０と第２液晶パネル１０３０との間に働く応力等を当該接着層が吸収できなくなり、当該応力により第１液晶パネル１０２０及び第２液晶パネル１０３０の少なくとも一方のセルギャップ（液晶層の厚み）が不均一となる。その結果、液晶表示装置１０１０にセルギャップ等に起因する表示ムラ（例えば、輝度ムラ又は色ムラ）が発生し、画質品位が低下する。
【００２７】
そこで、本願発明者らは、第１液晶パネル１０２０と第２液晶パネル１０３０との間隔を狭くすることで視差による画質品位の低下を抑制しつつ、かつ当該間隔を狭くすることで発生する表示ムラによる画質品位の低下を抑制できる液晶表示装置について、鋭意検討を行った。そして、第１液晶パネル１０２０及び第２液晶パネル１０３０の少なくとも一方に発生する表示ムラを信号処理により補正することで、上記課題を解決できることを見出した。具体的には、分配部で分配された画像信号に対して信号処理を行うことで、より精度よく表示ムラを抑制できることを見出した。
【００２８】
以下、実施の形態にについて、図面を参照しながら説明する。なお、以下で説明する実施の形態は、いずれも包括的または具体的な例を示すものである。以下の実施の形態で示される数値、形状、材料、構成要素、構成要素の配置位置、構成要素の接続形態、ステップ、及び、ステップの順序などは、一例であり、本開示を限定する主旨ではない。また、以下の実施の形態における構成要素のうち、最上位概念を示す独立請求項に記載されていない構成要素については、任意の構成要素として説明される。
【００２９】
なお、各図は模式図であり、必ずしも厳密に図示されたものではない。また、各図において、実質的に同一の構成に対しては同一の符号を付しており、重複する説明は省略または簡略化される場合がある。
【００３０】
（実施の形態１）
以下、本実施の形態に係る液晶表示装置について、図１〜図９を参照しながら説明する。
【００３１】
［１−１．液晶表示装置の構成］
まず、実施の形態１に係る液晶表示装置１０の全体の概略構成について、図１〜図５を参照しながら説明する。図１は、実施の形態１に係る液晶表示装置１０の分解斜視図である。図２は、実施の形態１に係る液晶表示装置１０の概略構成を示す図である。図２では、液晶表示装置１０における第１液晶パネル２０及び第２液晶パネル３０のドライバの構成を示す。
【００３２】
図１に示すように、液晶表示装置１０は、観察者に近い位置（前側）に配置された第１液晶パネル２０と、第１液晶パネル２０よりも観察者から遠い位置（後側）に配置された第２液晶パネル３０と、第１液晶パネル２０及び第２液晶パネル３０を貼り合わせる接着層４０と、第２液晶パネル３０の背面側（後側）に配置されたバックライト５０と、観察者側から第１液晶パネル２０及び第２液晶パネル３０を覆うフロントシャーシ６０とを備える。
【００３３】
接着層４０で貼り合わされた第１液晶パネル２０及び第２液晶パネル３０は、液晶表示部１０ａ（液晶モジュール）を構成し、バックライト５０とともに、中間フレーム（図示せず）及びリアフレーム（図示せず）等に固定されている。液晶表示部１０ａは、第１液晶パネル２０と、第１液晶パネル２０の背面側において当該第１液晶パネル２０と重ね合わせて配置される第２液晶パネル３０とを有する表示部の一例である。
【００３４】
第１液晶パネル２０は、メインパネルであって、ユーザが視認する画像を表示する。本実施の形態において、第１液晶パネル２０は、カラー画像を表示する。一方、第２液晶パネル３０は、第１液晶パネル２０の背面側に配置されるサブパネルである。本実施の形態において、第２液晶パネル３０は、第１液晶パネル２０に表示されるカラー画像に対応した画像パターンのモノクロ画像（白黒画像）を、そのカラー画像に同期させて表示する。
【００３５】
第１液晶パネル２０及び第２液晶パネル３０の液晶駆動方式は、例えばいずれもＩＰＳ方式又はＦＦＳ方式等の横電界方式であってもよい。また、第１液晶パネル２０及び第２液晶パネル３０はいずれも、ノーマリーブラックであり、電圧印加時に白表示で、電圧無印加時に黒表示となる。
【００３６】
なお、接着層４０の厚みは、例えば、０．５ｍｍ以下である。接着層４０の厚みを０．５ｍｍ以下とすることで、上記で説明した視差が発生することを抑制することができる。
【００３７】
図２に示すように、第１液晶パネル２０には、入力画像信号に応じたカラー画像を第１画像表示領域２０ａに表示するために、第１ソースドライバ２１及び第１ゲートドライバ２２が設けられている。
【００３８】
一方、第２液晶パネル３０には、入力画像信号に応じたモノクロ画像を第２画像表示領域３０ａに表示するために、第２ソースドライバ３１及び第２ゲートドライバ３２が設けられている。
【００３９】
図１に示すように、バックライト５０は、第１液晶パネル２０及び第２液晶パネル３０に向けて光を照射する面光源である。バックライト５０は、例えば、ＬＥＤ（Ｌｉｇｈｔ  Ｅｍｉｔｔｉｎｇ  Ｄｉｏｄｅ）を光源とするＬＥＤバックライトであるが、これに限るものではない。また、本実施の形態において、バックライト５０は、直下型であるが、エッジ型であってもよい。なお、バックライト５０は、光源からの光を拡散させるために拡散板（拡散シート）等の光学部材を有していてもよい。
【００４０】
フロントシャーシ６０は、観察者側（前方側）に配置されるフロントフレームである。フロントシャーシ６０は、例えば矩形状の枠体である。フロントシャーシ６０は、鋼板又はアルミニウム板等の剛性の高い金属材料で構成されているとよいが、樹脂材料で構成されていてもよい。
【００４１】
また、液晶表示装置１０は、第１液晶パネル２０の第１ソースドライバ２１及び第１ゲートドライバ２２を制御する第１タイミングコントローラ７１と、第２液晶パネル３０の第２ソースドライバ３１及び第２ゲートドライバ３２を制御する第２タイミングコントローラ７２と、第１タイミングコントローラ７１及び第２タイミングコントローラ７２に画像データを出力する画像処理部８０とを備える。
【００４２】
画像処理部８０は、外部のシステム（図示せず）から送信された入力画像信号Ｄａｔａを受信し、所定の画像処理を実行した後、第１タイミングコントローラ７１に第１出力画像信号ＤＡＴ１を出力し、第２タイミングコントローラ７２に第２出力画像信号ＤＡＴ２を出力する。また、画像処理部８０は、第１タイミングコントローラ７１及び第２タイミングコントローラ７２に同期信号等の制御信号（図示せず）を出力する。第１出力画像信号ＤＡＴ１は、カラー表示用の画像データであり、第２出力画像信号ＤＡＴ２は、モノクロ表示用の画像データである。
【００４３】
このように、本実施の形態に係る液晶表示装置１０では、第１液晶パネル２０及び第２液晶パネル３０の２つの表示パネルを重ね合わせて画像を表示しているので、黒を引き締めることができる。これにより、高コントラスト比の画像を表示することができる。また、液晶表示装置１０は、例えばＨＤＲ（Ｈｉｇｈ  Ｄｙｎａｍｉｃ  Ｒａｎｇｅ）対応テレビであり、バックライト５０として、ローカルディミング対応の直下型ＬＥＤバックライトを用いてもよい。この場合、さらに高コントラスト比かつ高画質のカラー画像を表示することができる。
【００４４】
なお、本実施の形態では、第１液晶パネル２０が第１画像表示領域２０ａにカラー画像を表示し、第２液晶パネル３０が第２画像表示領域３０ａに白黒画像を表示する構成としたが、これに限らない。例えば、第１液晶パネル２０が第１画像表示領域２０ａに白黒画像を表示し、第２液晶パネル３０が第２画像表示領域３０ａにカラー画像を表示する構成であってもよい。また、例えば、第１液晶パネル２０及び第２液晶パネル３０がともにカラー画像又は白黒画像を表示する構成であってもよい。
【００４５】
ここで、液晶表示装置１０の詳細な構成を、図３を参照しながら説明する。図３は、実施の形態１に係る液晶表示装置１０の拡大断面図である。
【００４６】
まず、第１液晶パネル２０について説明する。図３に示すように、第１液晶パネル２０は、一対の第１透明基板２３と、第１液晶層２４と、一対の第１偏光板２５とを有する。
【００４７】
一対の第１透明基板２３の各々は、例えばガラス基板であり、互いに対面するように配置されている。本実施の形態において、一対の第１透明基板２３のうち第２液晶パネル３０側の位置する第１透明基板２３がＴＦＴ（Ｔｈｉｎ  Ｆｉｌｍ  Ｔｒａｎｓｉｓｔｏｒ）等を形成するためのＴＦＴ基板である第１ＴＦＴ基板２３ａであり、一対の第１透明基板２３のうち第２液晶パネル３０側とは反対側に位置する第１透明基板２３が第１対向基板２３ｂである。
【００４８】
第１ＴＦＴ基板２３ａの第１液晶層２４側の面には、ＴＦＴ又は配線等が設けられた第１ＴＦＴ層２６が形成されている。また、第１ＴＦＴ層２６の平坦化層上には、第１液晶層２４に電圧を印加するための画素電極が形成されている。本実施の形態では第１液晶パネル２０がＩＰＳ方式により駆動されるので、第１ＴＦＴ基板２３ａには、画素電極だけではなく、対向電極も形成されている。ＴＦＴ、画素電極及び対向電極等は、画素それぞれに形成されている。また、画素電極及び対向電極を覆うように配向膜が形成されている。
【００４９】
第１対向基板２３ｂは、カラーフィルタ２７ｂが形成されたカラーフィルタ基板（ＣＦ基板）であり、第１対向基板２３ｂの第１液晶層２４側の面には、第１ブラックマトリクス２７ａ及びカラーフィルタ２７ｂを有する第１画素形成層２７が形成されている。
【００５０】
第１液晶層２４は、一対の第１透明基板２３の間に封止されている。第１液晶層２４の液晶材料は、駆動方式に応じて適宜選択することができる。第１液晶層２４の厚さは、例えば、２．５μｍ〜６μｍであるが、これに限るものではない。
【００５１】
第１画素形成層２７は、一対の第１透明基板２３の間に配置されている。つまり、第１ブラックマトリクス２７ａ及びカラーフィルタ２７ｂは、一対の第１透明基板２３の間に配置されている。第１ブラックマトリクス２７ａには、画素を構成するマトリクス状の複数の第１開口部が形成されている。つまり、複数の第１開口部の各々は、複数の画素の各々に対応している。第１ブラックマトリクス２７ａは、例えば、各第１開口部の平面視形状が矩形状となるように、格子状に形成されている。
【００５２】
カラーフィルタ２７ｂは、第１ブラックマトリクス２７ａの第１開口部の内部に形成されている。カラーフィルタ２７ｂは、例えば、赤色用のカラーフィルタ、緑色用のカラーフィルタ、及び、青色用のカラーフィルタによって構成されている。各色のカラーフィルタは、各画素に対応している。
【００５３】
一対の第１偏光板２５は、樹脂材料からなるシート状の偏光フィルムであり、一対の第１透明基板２３を挟むように配置されている。一対の第１偏光板２５は、偏光方向が互いに直交するように配置されている。つまり、一対の第１偏光板２５は、クロスニコルで配置されている。一対の第１偏光板２５の各々の厚さは、例えば、０．０５ｍｍ〜０．５ｍｍであるが、これに限るものではない。
【００５４】
次に、第２液晶パネル３０について説明する。第２液晶パネル３０は、一対の第２透明基板３３と、第２液晶層３４と、一対の第２偏光板３５とを有する。
【００５５】
一対の第２透明基板３３の各々は、例えばガラス基板であり、互いに対面するように配置されている。本実施の形態において、一対の第２透明基板３３のうちバックライト５０側に位置する第２透明基板３３が第２ＴＦＴ基板３３ａであり、一対の第２透明基板３３のうち第１液晶パネル２０側に位置する第２透明基板３３が第２対向基板３３ｂである。第２ＴＦＴ基板３３ａは、第１液晶パネル２０の第１ＴＦＴ基板２３ａと同様の構成である。したがって、第２ＴＦＴ基板３３ａの第２液晶層３４側の面には第２ＴＦＴ層３６が形成されており、第２ＴＦＴ層３６の平坦化層上には画素それぞれに画素電極及び対向電極が形成されている。
【００５６】
第２対向基板３３ｂの第２液晶層３４側の面には、第２ブラックマトリクス３７ａを有する第２画素形成層３７が形成されている。
【００５７】
第２液晶層３４は、一対の第２透明基板３３の間に封止されている。第２液晶層３４の厚さは、例えば、２．５μｍ〜６μｍであるが、これに限るものではない。
【００５８】
第２画素形成層３７は、一対の第２透明基板３３の間に配置されている。つまり、第２ブラックマトリクス３７ａは、一対の第２透明基板３３の間に配置されている。第２ブラックマトリクス３７ａには、画素を構成するマトリクス状の複数の第２開口部が形成されている。つまり、複数の第２開口部の各々は、複数の画素の各々に対応している。第２ブラックマトリクス３７ａは、例えば、各第２開口部の平面視形状が矩形状となるように、格子状に形成されている。
【００５９】
一対の第２偏光板３５は、樹脂材料からなるシート状の偏光フィルムであり、一対の第２透明基板３３を挟むように配置されている。一対の第２偏光板３５は、クロスニコルで配置されている。一対の第２偏光板３５の各々の厚さは、例えば、０．０５ｍｍ〜０．５ｍｍであるが、これに限るものではない。
【００６０】
次に、画像処理部８０の構成について、さらに図４及び図５を参照しながら説明する。図４は、実施の形態１に係る画像処理部８０の機能構成を示すブロック図である。
【００６１】
図４に示すように、画像処理部８０は、入力画像信号Ｄａｔａに基づいて、第１液晶パネル２０に出力する第１出力画像信号ＤＡＴ１と、第２液晶パネル３０に出力する第２出力画像信号ＤＡＴ２とを生成する処理部である。画像処理部８０は、分配部９０と、表示ムラ補正部１００とを有する。本実施の形態に係る画像処理部８０は、比較例に係る画像処理部１０８０に加え、さらに表示ムラ補正部１００を有する。画像処理部８０は、第２液晶パネル３０のガンマ特性と、表示ムラ補正部１００における処理とに特徴を有する。なお、図４以降では、接着層４０、第１タイミングコントローラ７１及び第２タイミングコントローラ７２等の図示を便宜上省略している。
【００６２】
第１出力画像信号ＤＡＴ１は、当該第１出力画像信号ＤＡＴ１に対して追加の信号処理が行われることなく、第１液晶パネル２０に入力される。例えば、第１出力画像信号ＤＡＴ１と第１液晶パネル２０の表示ムラ特性とに基づいて、第１液晶パネル２０が当該第１出力画像信号ＤＡＴ１を表示したときの第１画像における表示ムラの程度（例えば、透過率の差）を算出可能である。
【００６３】
第２出力画像信号ＤＡＴ２は、当該第２出力画像信号ＤＡＴ２に対して追加の信号処理が行われることなく、第２液晶パネルに入力される。例えば、第２出力画像信号ＤＡＴ２と第２液晶パネル３０の表示ムラ特性とに基づいて、第２液晶パネル３０が当該第２出力画像信号ＤＡＴ２を表示したときの第２画像における表示ムラの程度（例えば、透過率の差）を算出可能である。
【００６４】
なお、第１液晶パネル２０及び第２液晶パネル３０の表示ムラは、液晶表示部１０ａを正面から見たときに視認されるムラである。
【００６５】
分配部９０は、入力画像信号を、第１出力画像信号ＤＡＴ１を生成するための第１分配画像信号と、第２出力画像信号ＤＡＴ２を生成するための第２分配画像信号とに分配する処理部である。表示ムラ補正部１００は、第１分配画像信号に対して液晶表示部１０ａの表示ムラを抑制するための処理を行う処理部である。表示ムラ補正部１００により第１分配画像信号に対してムラを抑制する処理が行われることで、第１液晶パネル２０に出力される第１出力画像信号ＤＡＴ１が生成される。なお、本実施の形態では、分配部９０は、第２分配画像信号を第２出力画像信号ＤＡＴ２として第２液晶パネル３０に出力する。また、第１分配画像信号はカラー画像を生成するための信号であり、第２分配画像信号は白黒画像を表示するための信号である例について説明するが、これに限定されない。また、ここでの分配とは、入力画像信号に基づいて、第１分配画像信号と第２分配画像信号とを生成することを意味する。
【００６６】
分配部９０は、白黒画像生成部９１と、ガンマ処理部９２と、視差低減部９３と、除算処理部９４と、乗算器９５とを有する。なお、分配部９０は、視差による画像品位の低下をより抑制する観点から視差低減部９３を有する構成を例に説明するが、視差低減部９３を有していなくてもよい。また、第２液晶パネル３０がカラー画像を表示する場合、分配部９０は、白黒画像生成部９１を有していなくてもよい。また、計算部の図示を省略している。
【００６７】
白黒画像生成部９１は、比較例に係る白黒画像生成部１０９１と同様であり、説明を省略する。白黒画像生成部９１は、入力画像信号Ｄａｔａに基づいて生成した第１白黒画像データをガンマ処理部９２に出力する。
【００６８】
ガンマ処理部９２は、処理に用いる変換テーブル（ルックアップテーブル）が比較例に係るガンマ処理部１０９２と異なる。その他は、ガンマ処理部１０９２と同様である。ガンマ処理部９２は、階調補正部の一例である。
【００６９】
第２液晶パネル３０用のガンマ特性について、図５を参照しながら説明する。図５は、実施の形態１に係る第２液晶パネル３０のガンマ特性を示す図である。横軸は、白黒画像の階調値（入力階調）を示している。入力階調は、例えば、入力画像信号Ｄａｔａが１０ビットである場合、最小値が０階調であり、最大値が１０２３階調となる。縦軸は、補正後の入力画像信号（視差低減部９３に出力される信号）における階調値（出力階調）を示している。出力階調は、例えば、入力階調と同じビット数で表され、本実施の形態では最小値が０階調、最大値が１０２３階調である。
【００７０】
図５に示すように、第２液晶パネル３０のガンマ特性は、比較例に係る第２液晶パネル１０３０のガンマ特性と同様、複数の階調値のうち入力階調が所定の値（例えば、２５６階調であり、第１階調値の一例）以上の階調値が、出力階調が一定の値（例えば、８５０階調であり、第２階調値の一例）となる特性を有する。ガンマ処理部９２は、例えば、ある画素における入力階調が５１２階調であっても７６８階調であっても、当該画素における出力階調を同じ値に変換して出力する。これにより、入力画像信号において階調値が所定の値以上である場合に、液晶表示部１０ａにおいて視差が発生することを抑制することができる。
【００７１】
ここで、ガンマ処理部９２は、入力階調が所定の値以上であるときに、出力階調を当該出力階調値の最大値（本実施の形態では、１０２３階調）より低い値に変換してもよい。言い換えると、第２階調値は、ガンマ処理部９２が出力可能な最大階調値より小さい値であってもよい。図５では、ガンマ処理部９２は、入力階調が所定の値以上であるときに、出力階調を一律におよそ８５０に変換する例を示している。これにより、後述する表示ムラ補正部１００において表示ムラをより抑制する補正を行うことができる。なお、ガンマ処理部９２は、図１９Ａに示すように、入力階調が所定の値以上のときに、出力階調を出力階調の最大階調値に変換してもよい。
【００７２】
ガンマ処理部９２は、第１白黒画像データを補正した第２白黒画像データを視差低減部９３に出力する。
【００７３】
視差低減部９３は、比較例に係る視差低減部１０９３と同様であり、詳細説明を省略するが、ガンマ処理部９２が出力した階調補正をした入力画像信号Ｄａｔａ（具体的には、階調補正をした第１白黒画像データ）に対して、第１出力画像信号ＤＡＴ１に基づく第１画像と、第２出力画像信号ＤＡＴ２に基づく第２画像との視差を低減するための補正を行う。視差低減部９３は、第２白黒画像データに基づいて生成した第３白黒画像データを第２分配画像信号として、除算処理部９４及び第２液晶パネル３０に出力する。本実施の形態では、第２分配画像信号と第２出力画像信号ＤＡＴ２とは同一の信号である。つまり、視差低減部９３は、除算処理部９４及び第２液晶パネル３０に第２出力画像信号ＤＡＴ２を出力するとも言い換えることができる。
【００７４】
なお、除算処理部９４及び乗算器９５については、比較例に係る除算処理部１０９４及び乗算器１０９５と同様であるため、説明を省略する。
【００７５】
表示ムラ補正部１００は、第１分配画像信号に対して、液晶表示部１０ａの表示ムラに基づいて当該表示ムラを抑制する第１ムラ補正を行うことで第１出力画像信号ＤＡＴ１を生成し、生成した第１出力画像信号ＤＡＴ１を第１液晶パネル２０に出力する処理部である。液晶表示部１０ａの表示ムラは、第１液晶パネル２０及び第２液晶パネル３０の少なくとも一方の表示ムラを含む。当該表示ムラを抑制する補正とは、第１分配画像信号の各画素の階調値を当該表示ムラが低減するように変換することを含む。なお、図４の例では、表示ムラ補正部１００は、さらに第２出力画像信号ＤＡＴ２に基づいて、第１分配画像信号に対して第１ムラ補正を行う。表示ムラ補正部１００は、第２出力画像信号ＤＡＴ２を取得することで、当該第２出力画像信号ＤＡＴ２に基づく第２画像を第２液晶パネル３０が表示した場合の表示ムラを考慮して、第１分配画像信号を補正することが可能となる。
【００７６】
表示ムラ補正部１００は、第１出力画像信号ＤＡＴ１を生成し、生成した第１出力画像信号ＤＡＴ１を第１液晶パネル２０に出力する第１ムラ補正部の一例である。また、本実施の形態では、表示ムラ補正部１００は、分配部９０から第２分配画像信号を直接取得する。表示ムラ補正部１００は、上記の第１ムラ補正を実行するムラ処理部１０１を有する。
【００７７】
ムラ処理部１０１は、液晶表示部１０ａにおける表示ムラを低減するために第１分配画像信号の各画素それぞれの階調値を補正する処理を行う処理部である。ムラ処理部１０１は、例えば、第１液晶パネル２０の表示ムラを抑制するための第１ルックアップテーブル１０１ａ（第１ＬＵＴ１０１ａとも記載する）と、第２液晶パネル３０の表示ムラを抑制するための第２ルックアップテーブル１０１ｂ（第２ＬＵＴ１０１ｂとも記載する）とを有し、当該第１ＬＵＴ１０１ａ及び第２ＬＵＴ１０１ｂを用いて、第１分配画像信号に対して第１ムラ補正を行う。また、第２液晶パネル３０の表示ムラを抑制するために分配部９０から取得した第２出力画像信号ＤＡＴ２（本実施の形態では、第２分配画像信号）を用いて、第１ムラ補正を行う。第２出力画像信号ＤＡＴ２を取得することで、当該第２出力画像信号ＤＡＴ２に基づいて第２液晶パネル３０が画像を表示したときの表示ムラを効果的に抑制することができる。
【００７８】
第１ＬＵＴ１０１ａは、例えば、第１液晶パネル２０の各画素それぞれに、かつ当該画素の各階調値それぞれに入力階調と出力階調とが対応付けられたテーブルである。また、本実施の形態では、第１液晶パネル２０はカラー画像を表示するので、第１ＬＵＴ１０１ａは、色情報を示す各色の値（例えば、［Ｒ値、Ｇ値、Ｂ値］）それぞれに入力階調と出力階調とが対応付けられた複数のテーブル（例えば、３つのテーブル）を有してもよい。
【００７９】
第２ＬＵＴ１０１ｂは、例えば、第２液晶パネル３０の各画素それぞれに、かつ当該画素の各階調値それぞれに入力階調と出力階調とが対応付けられたテーブルである。第１ＬＵＴ１０１ａ及び第２ＬＵＴ１０１ｂは、事前に第１液晶パネル２０及び第２液晶パネル３０が重ね合わされた液晶表示部１０ａの表示ムラを撮像装置などにより取得した輝度値及び色度の少なくとも一方に基づいて作成される。輝度値及び色度値は、各画素それぞれに、かつ当該画素の各階調値それぞれに取得される。ムラ処理部１０１は、例えば、第１分配画像信号の各画素それぞれの階調値ごとに、表示ムラを抑制するための第１ムラ補正を行う。
【００８０】
表示ムラには、階調値に依存して当該表示ムラの程度（例えば、本来の明るさからの差異）が変化するものがある。上記のように、各階調値それぞれに輝度値が取得されることで、そのような階調値に依存する表示ムラを抑制することが可能となる。また、取得される輝度値は、第１液晶パネル２０及び第２液晶パネル３０が重ね合わされて生じる第１液晶パネル２０及び第２液晶パネル３０の少なくとも一方のセルギャップ（第１液晶層２４及び第２液晶層３４の少なくとも一方の厚み）の不均一による表示ムラを含む値である。
【００８１】
ムラ処理部１０１は、例えば、第１ＬＵＴ１０１ａを参照して第１分配画像信号の各画素それぞれの階調値（入力階調）を、第１液晶パネル２０の表示ムラを抑制するための階調値（出力階調）に変換する処理を行う。第１ＬＵＴ１０１ａを用いて階調値が変換された第１分配画像信号を中間画像信号とも記載する。
【００８２】
また、本実施の形態では、ムラ処理部１０１は、さらに第２出力画像信号ＤＡＴ２と第２ＬＵＴ１０１ｂとに基づいて、中間画像信号に対して上記第２液晶パネル３０の表示ムラを抑制するための処理を行う。第２ＬＵＴ１０１ｂは、例えば、第２出力画像信号ＤＡＴ２の入力階調と、当該入力階調に対応する中間画像信号の階調値の補正量とが対応付けられたテーブルであってもよい。ムラ処理部１０１は、第２出力画像信号ＤＡＴ２と第２ＬＵＴ１０１ｂとに基づいて、中間画像信号の各画素それぞれにおいて、当該画素の階調値を補正するための補正値を取得し、取得した補正値に基づいて中間画像信号の各画素それぞれの階調値を変換することで第２出力画像信号ＤＡＴ２を生成してもよい。ここでの補正値は、第２液晶パネル３０の表示ムラを抑制するための値である。
【００８３】
なお、ムラ処理部１０１における表示ムラを抑制する処理の順番は、特に限定されない。ムラ処理部１０１は、第１分配画像信号に対して第２液晶パネル３０の表示ムラを抑制する処理を行った後、当該処理で生成された画像信号に対して第１液晶パネル２０の表示ムラを抑制する処理を行ってもよい。
【００８４】
上記のように、ムラ処理部１０１は、第１ＬＵＴ１０１ａ、第２ＬＵＴ１０１ｂ、及び、分配部９０から取得した第２出力画像信号ＤＡＴ２を用いて第１分配画像信号の各画素の階調値を変換することで、第１液晶パネル２０及び第２液晶パネル３０それぞれで発生する表示ムラ（ここでは、輝度ムラ及び色ムラの少なくとも一方）を抑制することができる。言い換えると、第１液晶パネル２０及び第２液晶パネル３０それぞれが表示する画像のうち、第１液晶パネル２０が表示する画像の各画素の階調値のみを変更することで、第１液晶パネル２０及び第２液晶パネル３０により形成される合成画像の表示ムラを抑制することができる。
【００８５】
表示ムラ補正部１００は、上記の第１ムラ補正として、第１液晶パネル２０の表示ムラ及び第２液晶パネル３０の表示ムラの少なくとも一方の表示ムラを抑制する補正を行ってもよい。例えば、表示ムラ補正部１００は、少なくとも第１ＬＵＴ１０１ａを参照して第１分配画像信号の各画素それぞれの階調値を変換することで第１出力画像信号ＤＡＴ１を生成してもよい。つまり、表示ムラ補正部１００は、上記の中間画像信号を第１出力画像信号ＤＡＴ１として、第１液晶パネル２０に出力してもよい。これにより、少なくとも第１液晶パネル２０における表示ムラを低減することができる。
【００８６】
［１−２．液晶表示装置の処理］
次に、上記の液晶表示装置１０の動作について、図６〜図９を参照しながら説明する。図６は、実施の形態１に係る液晶表示装置１０の動作を示すフローチャートである。図７は、実施の形態１に係る第１出力画像信号ＤＡＴ１の生成を説明するための図である。
【００８７】
図６に示すように、まず、液晶表示装置１０は、入力画像信号Ｄａｔａを取得する（Ｓ１０）。具体的には、画像処理部８０は、外部のシステム（図示せず）から送信された入力画像信号Ｄａｔａを受信することで、当該入力画像信号Ｄａｔａを取得する。なお、入力画像信号Ｄａｔａがカラー画像を表示するための画像信号であるとする。
【００８８】
図７の（ａ）は、ステップＳ１０で取得した入力画像信号Ｄａｔａの一例を示す図である。横軸は液晶表示装置１０の液晶表示部１０ａにおける各画素の並び方向（一例として水平方向）を示しており、縦軸は階調値を示している。図７の（ａ）の例では、水平方向において同一の階調値（一例として、７６８階調）が入力された例を示している。
【００８９】
そして、画像処理部８０は、入力画像信号Ｄａｔａに基づいて、第１分配画像信号を生成する（Ｓ２０）。具体的には、分配部９０は、入力画像信号Ｄａｔａに基づいて、第１分配画像信号を生成する。そして、分配部９０は、第１分配画像信号を表示ムラ補正部１００に出力する。本実施の形態では、分配部９０は、カラー画像を表示するカラー画像データを第１分配画像信号として表示ムラ補正部１００に出力する。
【００９０】
図７の（ｂ）は、第１分配画像信号の一例を示す図である。第１分配画像信号は、例えば、各画素それぞれにおける階調値が等しいデータであるとする。
【００９１】
次に、表示ムラ補正部１００は、入力画像信号Ｄａｔａに基づいて生成される第２出力画像信号ＤＡＴ２（本実施の形態では、第２分配画像信号）を取得する（Ｓ３０）。本実施の形態では、ムラ処理部１０１は、分配部９０から第２分配画像信号を取得する。第２分配画像信号について、図８及び図９を参照しながら説明する。図８は、実施の形態１に係る第２出力画像信号ＤＡＴ２の生成を説明するための図である。図９は、実施の形態１に係る液晶表示部１０ａの透過率を示す図である。
【００９２】
図８の（ａ）は、入力画像信号Ｄａｔａを示しており、図７の（ａ）に示す信号と同様である。
【００９３】
図８の（ｂ）は、分配部９０から第２液晶パネル３０に出力される第２出力画像信号ＤＡＴ２である。第２出力画像信号ＤＡＴ２は、便宜上、各画素それぞれにおける階調値が等しいデータであるとする。
【００９４】
図９の（ｂ）は、第２液晶パネル３０が第２出力画像信号ＤＡＴ２に基づいて画像を表示したときの当該第２液晶パネル３０の透過率を示す。なお、縦軸は、第２液晶パネル３０の透過率の最大値を「１」としたときの比を示す。
【００９５】
図９の（ｂ）に示すように、第２液晶パネル３０の透過率は、第２出力画像信号ＤＡＴ２の各画素それぞれの階調値が等しい場合であっても、当該第２液晶パネル３０の水平位置それぞれで異なる。例えば、水平位置の略中央辺りの透過率が周囲の透過率より低くなっている。これは、第２液晶パネル３０におけるセルギャップの不均一等に起因する表示ムラ（輝度ムラ）によるものである。
【００９６】
次に、表示ムラ補正部１００は、第１分配画像信号に対して液晶表示部１０ａの表示ムラを低減するための処理を実行する（Ｓ４０）。具体的には、ムラ処理部１０１は、第１ＬＵＴ１０１ａ、第２ＬＵＴ１０１ｂ及び第２出力画像信号ＤＡＴ２に基づいて第１分配画像信号の各画素それぞれの階調値を変換する。表示ムラ補正部１００は、第２出力画像信号ＤＡＴ２と第２ＬＵＴ１０１ｂとに基づいて、第２出力画像信号ＤＡＴ２に基づく画像を第２液晶パネル３０が表示したときの表示ムラを抑制するための第１分配画像信号における各画素それぞれの階調値の補正量を取得する。
【００９７】
ムラ処理部１０１は、取得した補正量と、第１ＬＵＴ１０１ａとに基づいて、第１分配画像信号の各画素の階調値を補正する。これにより、第１液晶パネル２０に出力する第１出力画像信号ＤＡＴ１が生成される。表示ムラ補正部１００は、生成した第１出力画像信号ＤＡＴ１を第１液晶パネル２０に出力する。
【００９８】
図７の（ｃ）は、第１液晶パネル２０に出力される第１出力画像信号ＤＡＴ１の一例を示す図である。つまり、図７の（ｃ）は、液晶表示部１０ａにおける表示ムラを抑制するための各画素それぞれの画素値の変換が行われた後の画像データの一例を示す。図７の（ｃ）に示すように、分配部９０が生成する第１分配画像信号の階調値が等しい場合であっても、表示ムラ補正部１００により液晶表示部１０ａの表示ムラに応じて階調値が補正される。
【００９９】
図９の（ａ）は、第１液晶パネル２０が第１出力画像信号ＤＡＴ１に基づいて画像を表示したときの当該第１液晶パネル２０の透過率を示す。なお、縦軸は、第１液晶パネル２０の透過率の最大値を「１」としたときの比を示す。
【０１００】
図９の（ａ）に示すように、第１出力画像信号ＤＡＴ１に基づいて画像を表示した場合、第１液晶パネル２０において透過率が水平位置により異なる。例えば、水平位置の略中央辺りの透過率が周囲の透過率より高くなっている。これは、第１液晶パネル２０及び第２液晶パネル３０における表示ムラ（例えば、セルギャップの不均一等に起因する表示ムラであり、輝度ムラ及び色ムラの少なくとも一方を含む表示ムラ）を見えにくくするための表示ムラ補正部１００における処理の結果である。表示ムラ補正部１００は、例えば、第２液晶パネル３０において第２出力画像信号ＤＡＴ２が示す明るさより明るくなる画素又は複数の画素を含む領域（以降において、明領域とも記載する）がある場合、第１液晶パネル２０における当該画素又は明領域に対応する画素又は領域に含まれる画素の階調値を第１分配画像信号が示す明るさより暗くする。
【０１０１】
なお、詳細は図示していないが、図９の（ａ）に示す透過率は、第１液晶パネル２０における表示ムラも考慮した値となっている。言い換えると、表示ムラ補正部１００は、第１液晶パネル２０が表示する第１画像と第２液晶パネル３０が表示する第２画像との合成画像において、表示ムラが低減するように、第１分配画像信号の階調値を補正する。
【０１０２】
図９の（ｃ）は、液晶表示部１０ａにおける透過率を示す。具体的には、図９の（ｃ）は、第１液晶パネル２０が第１出力画像信号ＤＡＴ１に基づいて第１画像を表示し、かつ第２液晶パネル３０が第２出力画像信号ＤＡＴ２に基づいて第２画像を表示したときの、液晶表示部１０ａにおける透過率を示す。なお、縦軸は、液晶表示部１０ａの透過率の最大値を「１」としたときの比を示す。
【０１０３】
図９の（ｃ）に示すように、第１液晶パネル２０及び第２液晶パネル３０に表示ムラが発生していても、表示ムラ補正部１００の画像処理により、当該表示ムラが低減する。液晶表示装置１０は、第１液晶パネル２０及び第２液晶パネル３０に表示ムラがあっても、入力画像信号Ｄａｔａに示される画像を再現することが可能である。
【０１０４】
［１−３．効果など］
以上説明したように、液晶表示装置１０は、第１液晶パネル２０と、第１液晶パネル２０の背面側において第１液晶パネル２０と重ね合わせて配置される第２液晶パネル３０とを有する液晶表示部１０ａ（表示部の一例）と、入力画像信号Ｄａｔａに基づいて、第１液晶パネル２０に出力する第１出力画像信号ＤＡＴ１と、第２液晶パネル３０に出力する第２出力画像信号ＤＡＴ２とを生成する画像処理部８０とを備える。そして、画像処理部８０は、入力画像信号Ｄａｔａを、第１出力画像信号ＤＡＴ１を生成するための第１分配画像信号と、第２出力画像信号ＤＡＴ２を生成するための第２分配画像信号とに分配する分配部９０と、分配部９０から出力された第１分配画像信号に対して、液晶表示部１０ａの表示ムラを抑制する第１ムラ補正を行うことで第１出力画像信号ＤＡＴ１を生成し、生成した第１出力画像信号ＤＡＴ１を第１液晶パネル２０に出力する表示ムラ補正部１００（第１ムラ補正部の一例）とを有する。
【０１０５】
これにより、第１液晶パネル２０に出力される第１出力画像信号ＤＡＴ１は、液晶表示部１０ａにおける表示ムラを抑制するための第１ムラ補正が行われた信号となる。つまり、第１出力画像信号ＤＡＴ１に基づいて第１液晶パネル２０が表示する画像と、第２出力画像信号ＤＡＴ２に基づいて第２液晶パネル３０が表示する画像との合成画像は、液晶表示部１０ａにおける表示ムラが抑制された画像となる。よって、液晶表示装置１０によれば、第１液晶パネル２０側に出力される信号を補正するだけで、液晶表示部１０ａの表示ムラによる画像品位の低下を抑制できる。例えば、第１液晶パネル２０がカラー画像を表示する液晶パネルである場合、上記の第１ムラ補正により液晶表示装置１０の輝度ムラ及び色ムラの少なくとも一方が抑制される。
【０１０６】
また、液晶表示装置１０は、表示の正確性などの表示装置としての基本性能を低下させることなく、液晶表示部１０ａの表示ムラを抑制することができる。
【０１０７】
また、分配部９０は、第２分配画像信号を第２出力画像信号ＤＡＴ２として第２液晶パネル３０に出力し、表示ムラ補正部１００は、さらに、第２出力画像信号ＤＡＴ２に基づいて第１分配画像信号に対して第１ムラ補正を行う。
【０１０８】
これにより、表示ムラ補正部１００は、第２液晶パネル３０に階調値に依存する表示ムラが発生している場合、当該第２液晶パネル３０に出力される第２出力画像信号ＤＡＴ２を用いて第１ムラ補正を行うことで、より正確に第２液晶パネル３０の表示ムラを抑制することができる。
【０１０９】
また、表示ムラ補正部１００は、第１液晶パネル２０の表示ムラを抑制するための第１ルックアップテーブル１０１ａと、第２液晶パネル３０の表示ムラを抑制するための第２ルックアップテーブル１０１ｂとを有する。そして、表示ムラ補正部１００は、第１ルックアップテーブル１０１ａ及び第２ルックアップテーブル１０１ｂを用いて、第１分配画像信号に対して第１ムラ補正を行う。
【０１１０】
これにより、液晶表示部１０ａの表示ムラが画像信号の階調値に依存する表示ムラである場合、表示ムラ補正部１００における処理量を抑制しつつ、かつ演算によりムラ補正を行う場合に比べより正確にムラ補正を行うことができる。例えば、ルックアップテーブルが、各画素それぞれにおいて入力階調と出力階調とが対応付けられたテーブルである場合、より細かく輝度ムラ及び色ムラの少なくとも一方の補正を行うことができる。
【０１１１】
また、分配部９０は、入力画像信号Ｄａｔａに含まれる複数の階調値のうち第１階調値以上の階調値を第２階調値に階調補正をするガンマ処理部９２（階調補正部の一例）と、ガンマ処理部９２が出力した階調補正をした入力画像信号Ｄａｔａに対して、第１出力画像信号ＤＡＴ１に基づく第１画像と、第２出力画像信号ＤＡＴ２に基づく第２画像との視差を低減する補正をする視差低減部９３とを有する。
【０１１２】
これにより、液晶表示装置１０は、さらに、視差が抑制された画像を表示することができる。例えば、接着層４０の厚みを薄くした場合、視差は低減するが完全になくなるわけではない。液晶表示装置１０が視差低減部９３を有していることで、低減されてはいるものの発生する視差を抑制することができる。
【０１１３】
また、第１液晶パネル２０は、カラー画像を表示し、第２液晶パネル３０は、モノクロ画像を表示する。
【０１１４】
これにより、第１液晶パネル２０がカラー画像を表示し、第２液晶パネル３０がモノクロ画像を表示する液晶表示装置１０において、液晶表示部１０ａの表示ムラを抑制することができる。
【０１１５】
（実施の形態１の変形例）
以下、本変形例に係る液晶表示装置１１０について、図１０を参照しながら説明する。図１０は、実施の形態１の変形例に係る液晶表示装置１１０の機能構成を示すブロック図である。なお、実施の形態１に係る液晶表示装置１０との相違点を中心に説明し、同様の構成については同一の符号を付し、説明を省略又は簡略化する場合がある。
【０１１６】
図１０に示すように、本変形例に係る液晶表示装置１１０の画像処理部１８０は、実施の形態１に係る液晶表示装置１０の画像処理部８０が備える表示ムラ補正部１００に替えて、表示ムラ補正部２００を有する。
【０１１７】
表示ムラ補正部２００は、第２出力画像信号ＤＡＴ２を分配部９０から直接取得しない。具体的には、表示ムラ補正部２００は、入力画像信号Ｄａｔａに基づいて第２液晶パネル３０に出力される第２出力画像信号ＤＡＴ２を予測することで、第２出力画像信号ＤＡＴ２に相当する情報を取得する。
【０１１８】
表示ムラ補正部２００は、実施の形態１の表示ムラ補正部１００に加えて、入力画像信号Ｄａｔａに基づいて、分配部９０から第２液晶パネル３０に出力される第２出力画像信号ＤＡＴ２を予測する信号予測部２０２を有する。信号予測部２０２は、例えば、入力画像信号Ｄａｔａと分配部９０における第２出力画像信号ＤＡＴ２を生成する処理とに基づいて、第２出力画像信号ＤＡＴ２を予測してもよいし、入力画像信号Ｄａｔａに対して所定の信号処理を行うことで第２出力画像信号ＤＡＴ２を予測してもよい。そして、表示ムラ補正部２００は、信号予測部２０２が予測した信号を取得し、取得した信号を用いて第１分配画像信号に対して第１ムラ補正を行う。
【０１１９】
信号予測部２０２は、例えば、分配部９０における第２出力画像信号ＤＡＴ２を生成する処理と同様の処理が可能なように構成される。信号予測部２０２は、例えば、白黒画像生成部９１、ガンマ処理部９２、及び、視差低減部９３有する構成であってもよい。
【０１２０】
信号予測部２０２は、入力画像信号Ｄａｔａに基づいて予測した第２出力画像信号ＤＡＴ２をムラ処理部１０１に出力する。予測した第２出力画像信号ＤＡＴ２は、分配部９０が第２液晶パネル３０に出力する第２出力画像信号ＤＡＴ２と実質的に同一であってもよいし、第２液晶パネル３０に出力される第２出力画像信号ＤＡＴ２と信号予測部２０２が予測した第１出力画像信号ＤＡＴ１とは、少なくとも一部の階調値が異なっていてもよい。
【０１２１】
なお、図６に示すステップＳ３０において、本変形例に係る表示ムラ補正部１００は、第２出力画像信号ＤＡＴ２を当該表示ムラ補正部１００が有する信号予測部２０２から取得する。
【０１２２】
なお、信号予測部２０２は、入力画像信号Ｄａｔａと分配部９０における第２出力画像信号ＤＡＴ２を生成する処理とに基づいて、第２出力画像信号ＤＡＴ２を予測することに限定されない。信号予測部２０２は、例えば入力画像信号Ｄａｔａと第１分配画像信号とに基づいて、第２出力画像信号ＤＡＴ２を予測してもよい。
【０１２３】
以上のように、本変形例に係る液晶表示装置１１０の分配部９０は、第２分配画像信号を第２出力画像信号ＤＡＴ２として第２液晶パネル３０に出力し、表示ムラ補正部２００（第１ムラ補正部の一例）は、入力画像信号Ｄａｔａに基づいて第２出力画像信号ＤＡＴ２を予測する信号予測部２０２（予測部の一例）をさらに有する。そして、信号予測部２０２が予測した信号に基づいて第１分配画像信号に対して第１ムラ補正を行う。
【０１２４】
これにより、表示ムラ補正部２００は、第２液晶パネル３０に階調値に依存する表示ムラが発生している場合、第２出力画像信号ＤＡＴ２を分配部９０から取得することなく、第２液晶パネル３０の表示ムラを抑制することができる。
【０１２５】
（実施の形態２）
以下、本実施の形態に係る液晶表示装置について、図１１〜図１５を参照しながら説明する。
【０１２６】
［２−１．液晶表示装置の構成］
まず、実施の形態２に係る液晶表示装置２１０の全体の概略構成について、図１１を参照しながら説明する。図１１は、実施の形態２に係る液晶表示装置２１０の概略構成を示すブロック図である。なお、本実の形態では、実施の形態１に係る液晶表示装置１０との相違点を中心に説明し、同様の構成については同一の符号を付し、説明を省略又は簡略化する場合がある。
【０１２７】
図１１に示すように、本実施の形態に係る液晶表示装置２１０の画像処理部２８０は、実施の形態１に係る液晶表示装置１０の画像処理部８０が備える表示ムラ補正部１００に替えて、表示ムラ補正部３００を有する。なお、本実施の形態では、分配部９０は、第１分配画像信号を第１出力画像信号ＤＡＴ１として第１液晶パネル２０に出力する。また、第２分配画像信号は、分配画像信号の一例である。
【０１２８】
分配部９０のガンマ処理部９２は、上記でも説明したように、入力階調が所定の値以上であるときに、出力階調を当該出力階調の最大値（本実施の形態では、１０２３階調）より小さい値に変換してもよい。言い換えると、第２階調値は、図５に示すように、ガンマ処理部９２が出力可能な最大階調値より小さい値であってもよい。
【０１２９】
表示ムラ補正部３００は、第２分配画像信号に対して、液晶表示部１０ａの表示ムラを抑制するムラ補正を行うことで第２出力画像信号ＤＡＴ２を生成し、生成した第２出力画像信号ＤＡＴ２を第２液晶パネル３０に出力する処理部である。液晶表示部１０ａの表示ムラは、第１液晶パネル２０及び第２液晶パネル３０の少なくとも一方の表示ムラを含む。当該表示ムラを抑制する補正とは、第２分配画像信号の各画素の階調値を当該表示ムラが低減するように変換することを含む。なお、図１１の例では、表示ムラ補正部３００は、さらに第１出力画像信号ＤＡＴ１に基づいて、第２分配画像信号に対してムラ補正を行う。表示ムラ補正部３００は、第１出力画像信号ＤＡＴ１を取得することで、当該第１出力画像信号ＤＡＴ１に基づく第１画像を第１液晶パネル２０が表示した場合の表示ムラを考慮して、第２分配画像信号を補正することが可能となる。
【０１３０】
表示ムラ補正部３００は、第２出力画像信号ＤＡＴ２を生成し、生成した第２出力画像信号ＤＡＴ２を第２液晶パネル３０に出力するムラ補正部の一例である。また、本実施の形態では、表示ムラ補正部３００は、分配部９０から第１分配画像信号を直接取得する。表示ムラ補正部３００は、上記のムラ補正を実行するムラ処理部３０１を有する。
【０１３１】
表示ムラ補正部３００に入力される第２分配画像信号は、ガンマ処理部９２における処理などにより、入力画像信号Ｄａｔａにおける所定の値以上の階調値の情報が失われている（図５の例では、２５６階調以上の情報）ので、第２分配画像信号に基づいて第１出力画像信号ＤＡＴ１を予測することが難しい。そこで、本実施の形態では、表示ムラ補正部３００は、分配部９０から第１分配画像信号（つまり、第１出力画像信号ＤＡＴ１）を取得する。
【０１３２】
ムラ処理部３０１は、液晶表示部１０ａにおける表示ムラを低減するために第２分配画像信号の各画素それぞれの階調値を補正する処理を行う処理部である。ムラ処理部３０１は、例えば、第１液晶パネル２０の表示ムラを抑制するための第１ルックアップテーブル３０１ａ（第１ＬＵＴ３０１ａとも記載する）と、第２液晶パネル３０の表示ムラを抑制するための第２ルックアップテーブル３０１ｂ（第２ＬＵＴ３０１ｂとも記載する）とを有し、当該第１ＬＵＴ３０１ａ及び第２ＬＵＴ３０１ｂを用いて、第２分配画像信号に対してムラ補正を行う。また、第１液晶パネル２０の表示ムラを抑制するために分配部９０から取得した第１出力画像信号ＤＡＴ１を用いて、上記のムラ補正を行う。第１出力画像信号ＤＡＴ１を取得することで、当該第１出力画像信号ＤＡＴ１に基づいて第１液晶パネル２０が画像を表示したときの表示ムラを効果的に抑制することができる。
【０１３３】
ムラ処理部３０１は、例えば、第２ＬＵＴ３０１ｂを参照して第２分配画像信号の各画素それぞれの階調値（入力階調）を、第２液晶パネル３０の表示ムラを抑制するための階調値（出力階調）に変換する処理を行う。第２ＬＵＴ３０１ｂを用いて階調値が変換された第２分配画像信号を中間画像信号とも記載する。
【０１３４】
また、本実施の形態では、ムラ処理部３０１は、さらに第１出力画像信号ＤＡＴ１と第１ＬＵＴ３０１ａとに基づいて、中間画像信号に対して上記第１液晶パネル２０の表示ムラを抑制するための処理を行う。第１ＬＵＴ３０１ａは、例えば、第１出力画像信号ＤＡＴ１の入力階調と、当該入力階調に対応する中間画像信号の階調値の補正量とが対応付けられたテーブルであってもよい。ムラ処理部３０１は、第１出力画像信号ＤＡＴ１と第１ＬＵＴ３０１ａとに基づいて、中間画像信号の各画素それぞれにおいて、当該画素の階調値を補正するための補正値を取得し、取得した補正値に基づいて中間画像信号の各画素それぞれの階調値を変換することで第２出力画像信号ＤＡＴ２を生成してもよい。ここでの補正値は、第１液晶パネル２０の表示ムラを抑制するための値である。
【０１３５】
また、図５に示したように、第１白黒画像データは、最大階調値（例えば、１０２３階調）から所定値だけ小さい階調値（例えば、８５０階調）を上限階調値として生成される。そのため、ムラ処理部３０１における処理において、各画素の階調値を下げる処理のみならず、階調値を上げる処理をも行うことが可能である。よって、液晶表示装置２１０によれば、各画素の階調値を下げる処理のみを行う場合（つまり、ガンマ処理部９２において、図１９Ａ示すテーブルで階調補正した場合）に比べ、液晶表示部１０ａにおける表示ムラをより低減することができる。
【０１３６】
なお、ムラ処理部３０１における表示ムラを抑制する処理の順番は、特に限定されない。ムラ処理部３０１は、第２分配画像信号に対して第１液晶パネル２０の表示ムラを抑制する処理を行った後、当該処理で生成された画像信号に対して第２液晶パネル３０の表示ムラを抑制する処理を行ってもよい。
【０１３７】
上記のように、ムラ処理部３０１は、第１ＬＵＴ３０１ａ、第２ＬＵＴ３０１ｂ、及び、分配部９０から取得した第１出力画像信号ＤＡＴ１を用いて第２分配画像信号の各画素の階調値を変換することで、第１液晶パネル２０及び第２液晶パネル３０それぞれで発生する表示ムラ（ここでは、輝度ムラ）を抑制することができる。言い換えると、第１液晶パネル２０及び第２液晶パネル３０それぞれが表示する画像のうち、第２液晶パネル３０が表示する画像を構成する各画素の階調値のみを変更することで、第１液晶パネル２０及び第２液晶パネル３０により形成される合成画像の表示ムラを抑制することができる。
【０１３８】
表示ムラ補正部３００は、上記のムラ補正として、第１液晶パネル２０の表示ムラ及び第２液晶パネル３０の表示ムラの少なくとも一方の表示ムラを抑制する補正を行ってもよい。例えば、表示ムラ補正部３００は、少なくとも第２ＬＵＴ３０１ｂを参照して第２分配画像信号の各画素それぞれの階調値を変換することで第２出力画像信号ＤＡＴ２を生成してもよい。つまり、表示ムラ補正部３００は、上記の中間画像信号を第２出力画像信号ＤＡＴ２として、第２液晶パネル３０に出力してもよい。これにより、少なくとも第２液晶パネル３０における表示ムラを低減することができる。
【０１３９】
［２−２．液晶表示装置の処理］
次に、上記の液晶表示装置２１０の動作について、図１２〜図１５を参照しながら説明する。図１２は、実施の形態２に係る液晶表示装置２１０の動作を示すフローチャートである。図１３は、実施の形態２に係る第２出力画像信号ＤＡＴ２の生成を説明するための図である。
【０１４０】
図１２に示すように、まず、液晶表示装置２１０は、入力画像信号Ｄａｔａを取得する（Ｓ１１０）。具体的には、画像処理部２８０は、外部のシステム（図示せず）から送信された入力画像信号Ｄａｔａを受信することで、当該入力画像信号Ｄａｔａを取得する。
【０１４１】
図１３の（ａ）は、ステップＳ１１０で取得した入力画像信号Ｄａｔａの一例を示す図である。横軸は液晶表示装置２１０の液晶表示部１０ａにおける各画素の並び方向（一例として水平方向）を示しており、縦軸は階調値を示している。図１３の（ａ）の例では、水平方向において同一の階調値（一例として、７６８階調）が入力された例を示している。
【０１４２】
そして、画像処理部２８０は、入力画像信号Ｄａｔａに基づいて、第２分配画像信号を生成する（Ｓ１２０）。具体的には、分配部９０は、入力画像信号Ｄａｔａに基づいて、第２分配画像信号を生成する。そして、分配部９０は、第２分配画像信号を表示ムラ補正部３００に出力する。本実施の形態では、分配部９０は、白黒画像を表示する白黒画像データを第２分配画像信号として表示ムラ補正部３００に出力する。なお、分配部９０は、視差低減部９３を有していない場合、ガンマ処理部９２において階調補正された画像データを第２分配画像信号として表示ムラ補正部３００に出力する。
【０１４３】
図１３の（ｂ）は、第２分配画像信号の一例を示す図である。第２分配画像信号は、図５のガンマ特性により階調値が変換された後の画像データである。そのため、階調値（入力階調）が２５６階調以上である画素に対しては、一定の階調値（出力階調）が出力されるので、図１３の（ｂ）の画像データから入力画像信号Ｄａｔａを算出することは困難である。つまり、図１３の（ｂ）の画像データから第１出力画像信号ＤＡＴ１を算出することは困難である。
【０１４４】
次に、表示ムラ補正部３００は、入力画像信号Ｄａｔａに基づいて生成される第１出力画像信号ＤＡＴ１（本実施の形態では、第１分配画像信号）を取得する（Ｓ１３０）。本実施の形態では、ムラ処理部３０１は、分配部９０から第１出力画像信号ＤＡＴ１を直接取得する。第１出力画像信号ＤＡＴ１について、図１４及び図１５を参照しながら説明する。図１４は、実施の形態２に係る第１出力画像信号ＤＡＴ１の生成を説明するための図である。図１５は、実施の形態２に係る液晶表示部１０ａの透過率を示す図である。
【０１４５】
図１４の（ａ）は、入力画像信号Ｄａｔａを示しており、図１３の（ａ）に示す信号と同様である。
【０１４６】
図１４の（ｂ）は、分配部９０から第１液晶パネル２０に出力される第１出力画像信号ＤＡＴ１である。第１出力画像信号ＤＡＴ１は、便宜上、各画素それぞれにおける階調値が等しい画像データであるとする。
【０１４７】
図１５の（ａ）は、第１液晶パネル２０が第１出力画像信号ＤＡＴ１に基づいて画像を表示したときの当該第１液晶パネル２０の透過率を示す。なお、縦軸は、第１液晶パネル２０の透過率の最大値を「１」としたときの比を示す。
【０１４８】
図１５の（ａ）に示すように、第１液晶パネル２０の透過率は、第１出力画像信号ＤＡＴ１の各画素それぞれの階調値が等しい場合であっても、当該第１液晶パネル２０の水平位置それぞれで異なる。例えば、水平位置の略中央辺りの透過率が周囲の透過率より高くなっている。これは、第１液晶パネル２０におけるセルギャップの不均一等に起因する表示ムラ（輝度ムラ）によるものである。
【０１４９】
次に、表示ムラ補正部３００は、第２分配画像信号に対して液晶表示部１０ａの表示ムラを低減するための処理を実行する（Ｓ１４０）。具体的には、ムラ処理部３０１は、第１ＬＵＴ３０１ａ、第２ＬＵＴ３０１ｂ及び第１出力画像信号ＤＡＴ１とに基づいて第２分配画像信号の各画素それぞれの画素値を変換する。表示ムラ補正部３００は、第１出力画像信号ＤＡＴ１と第１ＬＵＴ３０１ａとに基づいて、第１出力画像信号ＤＡＴ１に基づく画像を第１液晶パネル２０が表示したときの表示ムラを抑制するための第２分配画像信号における各画素それぞれの階調値の補正量を取得する。
【０１５０】
ムラ処理部３０１は、取得した補正量と、第２ＬＵＴ３０１ｂとに基づいて、第２分配画像信号の各画素の階調値を補正する。これにより、第２液晶パネル３０に出力する第２出力画像信号ＤＡＴ２が生成される。表示ムラ補正部３００は、生成した第２出力画像信号ＤＡＴ２を第２液晶パネル３０に出力する。
【０１５１】
図１３の（ｃ）は、第２液晶パネル３０に出力される第２出力画像信号ＤＡＴ２の一例を示す図である。つまり、図１３の（ｃ）は、液晶表示部１０ａにおける表示ムラを抑制するための各画素それぞれの画素値の変換が行われた後の画像データの一例を示す。図１３の（ｃ）に示すように、分配部９０が生成する第２分配画像信号の階調値が等しい場合であっても、表示ムラ補正部３００により液晶表示部１０ａの表示ムラに応じて階調値が補正される。
【０１５２】
図１５の（ｂ）は、第２液晶パネル３０が第２出力画像信号ＤＡＴ２に基づいて画像を表示したときの当該第２液晶パネル３０の透過率を示す。なお、縦軸は、第２液晶パネル３０の透過率の最大値を「１」としたときの比を示す。
【０１５３】
図１５の（ｂ）に示すように、第２出力画像信号ＤＡＴ２に基づいて画像を表示した場合、第２液晶パネル３０において透過率が水平位置により異なる。例えば、水平位置の略中央辺りの透過率が周囲の透過率より低くなっている。これは、第１液晶パネル２０及び第２液晶パネル３０における表示ムラ（例えば、セルギャップの不均一等に起因する表示ムラであり、輝度ムラ）を見えにくくするための表示ムラ補正部３００における処理の結果である。表示ムラ補正部３００は、例えば、第１液晶パネル２０において第１出力画像信号ＤＡＴ１が示す明るさより明るくなる画素又は複数の画素を含む領域（以降において、明領域とも記載する）がある場合、第２液晶パネル３０における当該画素又は明領域に対応する画素又は領域に含まれる画素の階調値を第２分配画像信号が示す明るさより暗くする。
【０１５４】
なお、詳細は図示していないが、図１５の（ｂ）に示す透過率は、第２液晶パネル３０における表示ムラも考慮した値となっている。言い換えると、表示ムラ補正部３００は、第１液晶パネル２０が表示する第１画像と第２液晶パネル３０が表示する第２画像との合成画像において、表示ムラが低減するように、第２分配画像信号の階調値を補正する。
【０１５５】
図１５の（ｃ）は、液晶表示部１０ａにおける透過率を示す。具体的には、図１５の（ｃ）は、第１液晶パネル２０が第１出力画像信号ＤＡＴ１に基づいて第１画像を表示し、かつ第２液晶パネル３０が第２出力画像信号ＤＡＴ２に基づいて第２画像を表示したときの、液晶表示部１０ａにおける透過率を示す。なお、縦軸は、液晶表示部１０ａの透過率の最大値を「１」としたときの比を示す。
【０１５６】
図１５の（ｃ）に示すように、第１液晶パネル２０及び第２液晶パネル３０に表示ムラが発生していても、表示ムラ補正部３００の画像処理により、当該表示ムラが低減する。液晶表示装置２１０は、第１液晶パネル２０及び第２液晶パネル３０に表示ムラがあっても、入力画像信号Ｄａｔａに示される画像を再現することが可能である。
【０１５７】
［２−３．効果など］
以上説明したように、液晶表示装置２１０は、第１液晶パネル２０と、第１液晶パネル２０の背面側において第１液晶パネル２０と重ね合わせて配置される第２液晶パネル３０とを有する液晶表示部１０ａ（表示部の一例）と、入力画像信号Ｄａｔａに基づいて、第１液晶パネル２０に出力する第１出力画像信号ＤＡＴ１と、第２液晶パネル３０に出力する第２出力画像信号ＤＡＴ２とを生成する画像処理部２８０とを備える。そして、画像処理部２８０は、入力画像信号Ｄａｔａを、第１出力画像信号ＤＡＴ１と、第２出力画像信号ＤＡＴ２を生成するための第２分配画像信号（分配画像信号の一例）とに分配する分配部９０と、分配部９０から出力された第２分配画像信号に対して、液晶表示部１０ａの表示ムラを抑制するムラ補正を行うことで第２出力画像信号ＤＡＴ２を生成し、生成した第２出力画像信号ＤＡＴ２を第２液晶パネル３０に出力する表示ムラ補正部３００（ムラ補正部の一例）とを有する。
【０１５８】
これにより、第２液晶パネル３０に出力される第２出力画像信号ＤＡＴ２は、液晶表示部１０ａにおける表示ムラを抑制するためのムラ補正が行われた信号となる。つまり、第１出力画像信号ＤＡＴ１に基づいて第１液晶パネル２０が表示する画像と、第２出力画像信号ＤＡＴ２に基づいて第２液晶パネル３０が表示する画像との合成画像は、液晶表示部１０ａにおける表示ムラが抑制された画像となる。よって、液晶表示装置２１０によれば、第２液晶パネル３０側に出力される信号を補正するだけで、液晶表示部１０ａの表示ムラによる画像品位の低下を抑制できる。例えば、第２液晶パネル３０が白黒画像を表示する液晶パネルである場合、上記のムラ補正により液晶表示装置２１０の輝度ムラが抑制される。
【０１５９】
また、液晶表示装置２１０は、表示の正確性などの表示装置としての基本性能を低下させることなく、液晶表示部１０ａの表示ムラを抑制することができる。
【０１６０】
また、分配部９０は、第２分配画像信号を第１出力画像信号ＤＡＴ１として第１液晶パネル２０に出力し、表示ムラ補正部３００は、さらに、第１出力画像信号ＤＡＴ１に基づいて第２分配画像信号に対してムラ補正を行う。
【０１６１】
これにより、第１液晶パネル２０に階調値に依存する表示ムラが発生している場合、当該第１液晶パネル２０に出力される第１出力画像信号ＤＡＴ１を用いてムラ補正を行うことで、より正確に第１液晶パネル２０の表示ムラを抑制することができる。
【０１６２】
また、表示ムラ補正部３００は、第１液晶パネル２０の表示ムラを抑制するための第１ルックアップテーブル３０１ａと、第２液晶パネル３０の表示ムラを抑制するための第２ルックアップテーブル３０１ｂとを有する。そして、表示ムラ補正部３００は、第１ルックアップテーブル３０１ａ及び第２ルックアップテーブル３０１ｂを用いて、第２分配画像信号に対してムラ補正を行う。
【０１６３】
これにより、液晶表示部１０ａの表示ムラが画像信号の階調値に依存する表示ムラである場合、表示ムラ補正部３００における処理量を抑制しつつ、かつ演算によりムラ補正を行う場合に比べより正確にムラ補正を行うことができる。例えば、ルックアップテーブルが、各画素それぞれにおいて入力階調と出力階調とが対応付けられたテーブルである場合、より細かく輝度ムラの補正を行うことができる。
【０１６４】
また、第２階調値は、ガンマ処理部９２（階調補正部の一例）が出力可能な最大階調値より小さい値である。
【０１６５】
これにより、表示ムラ補正部３００において第２分配画像信号の階調値を上げる補正を行うことができる。よって、表示ムラ補正部３００は、第２分配画像信号の階調値を下げる補正のみを行う場合に比べて、より正確に液晶表示部１０ａの表示ムラを抑制することができる。
【０１６６】
（実施の形態２の変形例）
以下、本変形例に係る液晶表示装置３１０について、図１６を参照しながら説明する。図１６は、実施の形態２の変形例に係る液晶表示装置３１０の機能構成を示すブロック図である。なお、実施の形態２に係る液晶表示装置２１０との相違点を中心に説明し、同様の構成については同一の符号を付し、説明を省略又は簡略化する場合がある。
【０１６７】
図１６に示すように、本変形例に係る液晶表示装置３１０の画像処理部３８０は、実施の形態２に係る液晶表示装置２１０の画像処理部２８０が備える表示ムラ補正部３００に替えて、表示ムラ補正部４００を有する。
【０１６８】
表示ムラ補正部４００は、第１出力画像信号ＤＡＴ１を分配部９０から直接取得しない。具体的には、表示ムラ補正部４００は、入力画像信号Ｄａｔａに基づいて第１液晶パネル２０に出力される第１出力画像信号ＤＡＴ１を予測することで、第１出力画像信号ＤＡＴ１を取得する。
【０１６９】
表示ムラ補正部４００は、実施の形態２の表示ムラ補正部３００に加えて、入力画像信号Ｄａｔａに基づいて、分配部９０から第１液晶パネル２０に出力される第１出力画像信号ＤＡＴ１を予測する信号予測部２０２を有する。信号予測部２０２は、例えば、入力画像信号Ｄａｔａと分配部９０における第１出力画像信号ＤＡＴ１を生成する処理とに基づいて、第１出力画像信号ＤＡＴ１を予測してもよいし、入力画像信号Ｄａｔａに対して所定の信号処理を行うことで第１出力画像信号ＤＡＴ１を予測してもよい。そして、表示ムラ補正部４００は、信号予測部４０２が予測した信号を用いて第２分配画像信号に対してムラ補正を行う。
【０１７０】
信号予測部４０２は、例えば、分配部９０における第１出力画像信号ＤＡＴ１を生成する処理と同様の処理が可能なように構成される。信号予測部４０２は、例えば、白黒画像生成部９１〜乗算器９５のそれぞれを有する構成であってもよい。
【０１７１】
信号予測部４０２は、入力画像信号Ｄａｔａに基づいて予測した第１出力画像信号ＤＡＴ１をムラ処理部３０１に出力する。予測した第１出力画像信号ＤＡＴ１は、分配部９０が第１液晶パネル２０に出力する第１出力画像信号ＤＡＴ１と実質的に同一であってもよいし、第１液晶パネル２０に出力される第１出力画像信号ＤＡＴ１と信号予測部４０２が予測した第１出力画像信号ＤＡＴ１とは、少なくとも一部の階調値が異なっていてもよい。
【０１７２】
なお、図１２に示すステップＳ１３０において、本変形例に係る表示ムラ補正部４００は、第１出力画像信号ＤＡＴ１を当該表示ムラ補正部４００が有する信号予測部４０２から取得する。
【０１７３】
以上のように、本変形例に係る液晶表示装置３１０の分配部９０は、第２分配画像信号（分配画像信号の一例）を第１出力画像信号ＤＡＴ１として第１液晶パネル２０に出力し、表示ムラ補正部４００（ムラ補正部の一例）は、入力画像信号Ｄａｔａに基づいて第１出力画像信号ＤＡＴ１を予測する信号予測部４０２（予測部の一例）をさらに有する。そして、信号予測部４０２が予測した信号に基づいて第２分配画像信号に対してムラ補正を行う。
【０１７４】
これにより、表示ムラ補正部４００は、第１液晶パネル２０に階調値に依存する表示ムラが発生している場合、第１出力画像信号ＤＡＴ１を分配部９０から取得することなく、第１液晶パネル２０の表示ムラを抑制することができる。
【０１７５】
（実施の形態３）
以下、本実施の形態に係る液晶表示装置について、図１７を参照しながら説明する。
【０１７６】
［３−１．液晶表示装置の構成］
まず、実施の形態３に係る液晶表示装置４１０の全体の概略構成について、図１７を参照しながら説明する。図１７は、実施の形態３に係る液晶表示装置４１０の機能構成を示すブロック図である。なお、実施の形態１に係る液晶表示装置１０との相違点を中心に説明し、同様の構成については同一の符号を付し、説明を省略又は簡略化する場合がある。
【０１７７】
図１７に示すように、本実施の形態に係る液晶表示装置４１０の画像処理部４８０は、実施の形態１に係る液晶表示装置１０の画像処理部８０が備える表示ムラ補正部１００に替えて、表示ムラ補正部５００及び５１０を有する。
【０１７８】
表示ムラ補正部５００は、分配部９０から取得した第１分配画像信号に対して、液晶表示部１０ａの表示ムラを抑制する補正を行うことで第１出力画像信号ＤＡＴ１を生成し、生成した第１出力画像信号ＤＡＴ１を第１液晶パネル２０に出力する処理部である。本実施の形態では、表示ムラ補正部５００は、第１液晶パネル２０の表示ムラを抑制するための第１ルックアップテーブル５０１ａ（第１ＬＵＴ５０１ａとも記載する）を有し、当該第１ＬＵＴ５０１ａを用いてムラ補正を行う。なお、表示ムラ補正部５００は、第２分配画像信号を取得しない。つまり、表示ムラ補正部５００は、第１液晶パネル２０の表示ムラに基づいて、第１分配画像信号の各画素の階調値を補正する。表示ムラ補正部５００は、第１出力画像信号ＤＡＴ１を生成し、生成した第１出力画像信号ＤＡＴ１を第１液晶パネル２０に出力する第１ムラ補正部の一例である。表示ムラ補正部５００は、上記の階調値の補正を実行するムラ処理部５０１を有する。
【０１７９】
ムラ処理部５０１は、第１液晶パネル２０における表示ムラを低減するために第１分配画像信号の各画素それぞれの階調値を補正する処理を行う処理部である。具体的には、ムラ処理部５０１は、第１ＬＵＴ５０１ａと、分配部９０から取得した第１分配画像信号とを用いて、第１分配画像信号の各画素それぞれの階調値を補正することで、第１出力画像信号ＤＡＴ１を生成する。ムラ処理部５０１による第１分配画像信号の階調値の補正は、第１ムラ補正の一例である。
【０１８０】
表示ムラ補正部５１０は、分配部９０から取得した第２分配画像信号に対して、液晶表示部１０ａの表示ムラを抑制するムラ補正を行うことで第２出力画像信号ＤＡＴ２を生成し、生成した第２出力画像信号ＤＡＴ２を第２液晶パネル３０に出力する処理部である。本実施の形態では、表示ムラ補正部５１０は、第２液晶パネル３０の表示ムラを抑制するための第２ルックアップテーブル５１１ａ（第２ＬＵＴ５１１ａとも記載する）を有し、当該第２ＬＵＴ５１１ａを用いてムラ補正を行う。なお、表示ムラ補正部５１０は、第１分配画像信号を取得しない。つまり、表示ムラ補正部５１０は、第２液晶パネル３０の表示ムラに基づいて、第２分配画像信号の各画素の階調値を補正する。表示ムラ補正部５１０は、第２出力画像信号ＤＡＴ２を生成し、生成した第２出力画像信号ＤＡＴ２を第２液晶パネル３０に出力する第２ムラ補正部の一例である。表示ムラ補正部５１０は、上記の階調値の補正を実行するムラ処理部５１１を有する。
【０１８１】
ムラ処理部５１１は、第２液晶パネル３０における表示ムラを低減するために第２分配画像信号の各画素それぞれの階調値を補正する処理を行う処理部である。具体的には、ムラ処理部５１１は、第２ＬＵＴ５１１ａと、分配部９０から取得した第２分配画像信号とを用いて、第２分配画像信号の各画素それぞれの階調値を補正することで、第２出力画像信号ＤＡＴ２を生成する。ムラ処理部５１１による第２分配画像信号の階調値の補正は、第２ムラ補正の一例である。
【０１８２】
例えば、第１液晶パネル２０及び第２液晶パネル３０の一方で液晶表示部１０ａの表示ムラを抑制する場合、主に第１液晶パネル２０及び第２液晶パネル３０の他方は表示ムラがある画像を表示することになる。そのため、当該液晶表示部１０ａを斜め方向から見ると、表示ムラが見えてしまう。
【０１８３】
一方、上記のように、第１液晶パネル２０及び第２液晶パネル３０それぞれで液晶表示部１０ａの表示ムラを抑制する場合、第１液晶パネル２０及び第２液晶パネル３０それぞれにおいて表示ムラが抑制された画像を表示することができる。そのため、当該液晶表示部１０ａを斜めから見ても、表示ムラは見えにくい。
【０１８４】
なお、上記では、表示ムラ補正部５００は第１液晶パネル２０の表示ムラを抑制し、表示ムラ補正部５１０は第２液晶パネル３０の表示ムラを抑制する補正を行う例について説明したが、これに限定されない。表示ムラ補正部５００は液晶表示部１０ａにおける色ムラを低減し、表示ムラ補正部５１０は液晶表示部１０ａにおける輝度ムラを低減する補正を行ってもよい。
【０１８５】
また、第２液晶パネル３０の第１液晶パネル側に配置された偏光板（例えば、図３に示す第１液晶パネル側に配置された第２偏光板３５）が拡散層を有している場合、第２液晶パネル３０のみで高周波の表示ムラを抑制することが困難である。そのため、表示ムラ補正部５００は、液晶表示部１０ａにおける高周波の表示ムラを抑制し、表示ムラ補正部５１０は、液晶表示部１０ａにおける低周波の表示ムラを抑制する補正を行ってもよい。つまり、第１液晶パネル２０において高周波の表示ムラを抑制し、第２液晶パネル３０において低周波の表示ムラを抑制してもよい。
【０１８６】
また、例えば、ガンマ処理部９２が図１９Ａに示すガンマ特性に基づいて階調補正する場合、表示ムラ補正部５１０においては、階調値を上げる補正を行うことができない。そこで、表示ムラ補正部５００は、表示ムラ補正部５１０において階調値を上げる補正が発生した場合、当該補正を第１分配画像信号において行ってもよい。これにより、液晶表示部１０ａにおいて表示される画像の輝度を低下させることなく、表示ムラの抑制が可能となる。
【０１８７】
［３−２．効果など］
以上のように、本実施の形態に係る液晶表示装置４１０は、分配部９０から出力された第２分配画像信号に対して、液晶表示部１０ａ（表示部の一例）の表示ムラを抑制する第２ムラ補正を行うことで第２出力画像信号ＤＡＴ２を生成し、生成した第２出力画像信号ＤＡＴ２を第２液晶パネル３０に出力する表示ムラ補正部５１０（第２ムラ補正部の一例）を、さらに備える。
【０１８８】
これにより、第１分配画像信号、及び、第２分配画像信号の両方を補正することにより、第１分配画像信号、及び、第２分配画像信号の一方で補正を行っている場合に比べ、表示ムラ補正部の処理を分散させることができる。例えば、第１液晶パネル２０がカラー画像を表示し、第２液晶パネル３０が白黒画像を表示する場合、表示ムラ補正部５００が第１分配画像信号に対して色ムラを補正する処理を行い、かつ表示ムラ補正部５１０が第２分配画像信号に対して輝度ムラを補正する処理を行うことで、両方の処理を１つの表示ムラ補正部で行っている場合に比べ、表示ムラ補正部それぞれの処理量を減らすことができる。よって、液晶表示装置４１０によれば、液晶表示部１０ａの表示ムラを効果的に抑制することができる。
【０１８９】
また、表示ムラ補正部５００（第１ムラ補正部の一例）は、第１液晶パネル２０の表示ムラを抑制するための第１ルックアップテーブル５０１ａを有し、当該第１ルックアップテーブル５０１ａを用いて第１ムラ補正を行う。また、表示ムラ補正部５１０は、第２液晶パネル３０の表示ムラを抑制するための第２ルックアップテーブル５１１ａを有し、当該第２ルックアップテーブル５１１ａを用いて第２ムラ補正を行う。
【０１９０】
これにより、第１液晶パネル２０及び第２液晶パネル３０のそれぞれが、表示ムラが抑制された画像を表示することができる。よって、液晶表示部１０ａを斜め方向から見た場合に液晶表示部１０ａの表示ムラが見えることを抑制することができる。
【０１９１】
（その他の実施の形態）
以上、各実施の形態及び変形例（以下において、実施の形態等とも記載する）に係る液晶表示装置について説明したが、本開示は、上記実施の形態に限定されるものではない。
【０１９２】
例えば、上記実施の形態等において、白黒画像生成部は、視差低減部に含まれていてもよい。つまり、ガンマ処理部でガンマ補正された入力画像信号が白黒画像生成部に入力されてもよい。
【０１９３】
また、上記実施の形態等において、表示ムラ補正部は、接着層の厚みを薄くしたときに発生する液晶表示部の表示ムラを抑制する例について説明したが、これに限定されない。表示ムラ補正部は、液晶表示部を構成する第１液晶パネル及び第２液晶パネルのそれぞれに独立して発生している表示ムラ（例えば、第１液晶パネル及び第２液晶パネルを貼り合わせる前にそれぞれの液晶パネルに発生している表示ムラ）を抑制してもよい。
【０１９４】
また、上記実施の形態等において、第１液晶パネルと第２液晶パネルとは、ＯＣＡ等の接着層により貼り合わせされている例について説明したが、これに限定されない。第１液晶パネルと第２液晶パネルとは、第１液晶パネルと第２液晶パネルとを所定の間隔で固定可能な固定部材を用いて固定されていてもよい。第１液晶パネル及び第２液晶パネルの外周部分がフレーム等で固定されていてもよい。また、第１液晶パネルと第２液晶パネルとを正面視したときに、偏光板が貼られていない外側領域にのみ接着層（つまり、枠状の接着層）が形成されていてもよい。言い換えると、第１液晶パネルにおいて第２液晶パネル側に貼られた偏光板と、第２パネルにおいて第１液晶パネル側に貼られた偏光板との間は、少なくとも一部が空気層であってもよい。
【０１９５】
また、上記実施の形態等において、ルックアップテーブルは、各画素それぞれで入力階調と出力階調とが対応付けられている例について説明したが、これに限定されない。ルックアップテーブルは、画像を複数の仮想ブロックに分割し、分解した仮想ブロックごとに入力階調と出力階調とが対応したテーブルであってもよい。例え、表示ムラの態様が類似している複数の画素を１つの仮想ブロックとすることで、ルックアップテーブルの情報量を減らしつつ、表示ムラを抑制することができる。
【０１９６】
また、上記実施の形態等において、表示ムラ処理部は、ルックアップテーブルを用いて液晶表示部の表示ムラのムラ補正を行う例について説明したが、これに限定されない。表示ムラ補正部は、例えば、階調値に所定の定数を演算することにより、ムラ補正を行ってもよい。例えば、液晶表示部の表示ムラが画像信号の階調値に依存しない表示ムラである場合などに有効である。
【０１９７】
また、上記実施の形態等では、液晶表示装置は、２つの液晶パネルを備える例について説明したが、これに限定されない。液晶表示装置は、例えば、３つ以上の液晶パネルを備えていてもよい。
【０１９８】
また、一対の第１透明基板及び一対の第２透明基板は、ガラス基板としたが、これに限らず、透明樹脂基板等であってもよい。
【０１９９】
また、上記実施の形態等において、各構成要素は、専用のハードウェアで構成されるか、各構成要素に適したソフトウェアプログラムを実行することによって実現されてもよい。各構成要素は、プロセッサなどのプログラム実行部が、ハードディスクまたは半導体メモリなどの記録媒体に記録されたソフトウェアプログラムを読み出して実行することによって実現されてもよい。プロセッサは、半導体集積回路（ＩＣ）、又はＬＳＩ（Ｌａｒｇｅ  ｓｃａｌｅ  ｉｎｔｅｇｒａｔｉｏｎ）を含む一つ又は複数の電子回路で構成される。複数の電子回路は、一つのチップに集積されていてもよいし、複数のチップに設けられてもよい。複数のチップは一つの装置に集約されていてもよし、複数の装置に備えられていてもよい。
【０２００】
また、上記実施の形態等において説明された複数の処理の順序は一例である。複数の処理の順序は、変更されてもよいし、複数の処理は、並行して実行されてもよい。
【０２０１】
その他、実施の形態等に対して当業者が思いつく各種変形を施して得られる形態、または、本開示の趣旨を逸脱しない範囲で各実施の形態における構成要素及び機能を任意に組み合わせることで実現される形態も本開示に含まれる。
【符号の説明】
【０２０２】
１０、１１０、２１０、３１０、４１０    液晶表示装置
１０ａ    液晶表示部（表示部）
２０    第１液晶パネル
２０ａ    第１画像表示領域
２１    第１ソースドライバ
２２    第１ゲートドライバ
２３    第１透明基板
２３ａ    第１ＴＦＴ基板
２３ｂ    第１対向基板
２４    第１液晶層
２５    第１偏光板
２６    第１ＴＦＴ層
２７    第１画素形成層
２７ａ    第１ブラックマトリクス
２７ｂ    カラーフィルタ
３０    第２液晶パネル
３０ａ    第２画像表示領域
３１    第２ソースドライバ
３２    第２ゲートドライバ
３３    第２透明基板
３３ａ    第２ＴＦＴ基板
３３ｂ    第２対向基板
３４    第２液晶層
３５    第２偏光板
３６    第２ＴＦＴ層
３７    第２画素形成層
３７ａ    第２ブラックマトリクス
４０    接着層
５０    バックライト
６０    フロントシャーシ
７１    第１タイミングコントローラ
７２    第２タイミングコントローラ
８０、１８０、２８０、３８０    画像処理部
９０    分配部
９１    白黒画像生成部
９２    ガンマ処理部（階調補正部）
９３    視差低減部
９４    除算処理部
９５    乗算器
１００、２００、３００、４００、５００、５１０    表示ムラ補正部
１０１、３０１、５０１、５１１    ムラ処理部
１０１ａ、３０１ａ、５０１ａ    第１ルックアップテーブル
１０１ｂ、３０１ｂ、５１１ａ    第２ルックアップテーブル
２０２、４０２    信号予測部
Ｄａｔａ    入力画像信号
ＤＡＴ１    第１出力画像信号
ＤＡＴ２    第２出力画像信号
【図１】
2020086321.tif 000003
【図２】
2020086321.tif 000004
【図３】
2020086321.tif 000005
【図４】
2020086321.tif 000006
【図５】
2020086321.tif 000007
【図６】
2020086321.tif 000008
【図７】
2020086321.tif 000009
【図８】
2020086321.tif 000010
【図９】
2020086321.tif 000011
【図１０】
2020086321.tif 000012
【図１１】
2020086321.tif 000013
【図１２】
2020086321.tif 000014
【図１３】
2020086321.tif 000015
【図１４】
2020086321.tif 000016
【図１５】
2020086321.tif 000017
【図１６】
2020086321.tif 000018
【図１７】
2020086321.tif 000019
【図１８】
2020086321.tif 000020
【図１９Ａ】
2020086321.tif 000021
【図１９Ｂ】
2020086321.tif 000022
【図２０Ａ】
2020086321.tif 000023
【図２０Ｂ】
2020086321.tif 000024
【手続補正書】
【提出日】令和1年9月26日(2019.9.26)
【手続補正１】
【補正対象書類名】明細書
【補正対象項目名】０１６９
【補正方法】変更
【補正の内容】
【０１６９】
表示ムラ補正部４００は、実施の形態２の表示ムラ補正部３００に加えて、入力画像信号Ｄａｔａに基づいて、分配部９０から第１液晶パネル２０に出力される第１出力画像信号ＤＡＴ１を予測する信号予測部４０２を有する。信号予測部４０２は、例えば、入力画像信号Ｄａｔａと分配部９０における第１出力画像信号ＤＡＴ１を生成する処理とに基づいて、第１出力画像信号ＤＡＴ１を予測してもよいし、入力画像信号Ｄａｔａに対して所定の信号処理を行うことで第１出力画像信号ＤＡＴ１を予測してもよい。そして、表示ムラ補正部４００は、信号予測部４０２が予測した信号を用いて第２分配画像信号に対してムラ補正を行う。
【手続補正２】
【補正対象書類名】図面
【補正対象項目名】図１６
【補正方法】変更
【補正の内容】
【図１６】
2020086321.tif 000025